(57)【要約】デジタルメディアを介する広告のユーザカスタマイゼーションおよび表示のためのコンピュータにより実行されるシステムおよび方法が、本明細書において開示される。概して、開示されているシステムおよび方法は、グラフィカルユーザインタフェースを含み、これは、ユーザ、例えばソーシャルネットワーキングサービスのユーザが、広告のデータベースを検索し、関心のある1つまたは複数の広告を選択し、関心のある1つまたは複数の広告の表示のためのフォーマットを選択し、関心のある1つまたは複数の広告の表示のための1つまたは複数のカスタマイゼーションオプションを選択し、かつ1つまたは複数のカスタマイゼーションオプションについての1つまたは複数の選択に従って、デジタルメディア、例えばウェブページを介して関心のある1つまたは複数の広告を表示することを可能にする。2017516245.tif 000003
2017516245.tif 000002
【特許請求の範囲】
【請求項１】
デジタルメディアを介してユーザカスタマイズされた広告を提供するための方法であって、該方法が、
グラフィカルユーザインタフェースを介してユーザに複数の広告を提供する工程；
デジタルメディアを介する表示のために該ユーザによって選択された1つまたは複数の広告を識別する工程；
該グラフィカルユーザインタフェースを介して、該ユーザに、該デジタルメディアを介する表示のために該ユーザによって選択された該1つまたは複数の広告の表示のための複数のカスタマイゼーションオプションを提供する工程；
該カスタマイゼーションオプションについての1つまたは複数のユーザ選択を受け取る工程；および
該カスタマイゼーションオプションについての該1つまたは複数のユーザ選択に従って、該デジタルメディアを介する表示のために該ユーザによって選択された該1つまたは複数の広告を該デジタルメディアを介して表示する工程
を含み、該工程の1つまたは複数が1つまたは複数のコンピュータプロセッサを使用して実施される、方法。
【請求項２】
デジタルメディアがウェブページを含む、請求項1に記載の方法。
【請求項３】
ウェブページが、ユーザのプロフィールページ、ブログページ、企業体のウェブページおよび非営利組織のウェブページから選択される、請求項2に記載の方法。
【請求項４】
ウェブページがユーザのプロフィールページであり、該ユーザのプロフィールページがソーシャルネットワーキングウェブサイトのユーザのプロフィールページである、請求項3に記載の方法。
【請求項５】
デジタルメディアを介して表示される1つまたは複数の広告を1つまたは複数の追加の広告に置換するためのオプションをユーザに提供する工程を含む、請求項1に記載の方法。
【請求項６】
デジタルメディアを介して表示される1つまたは複数の広告の表示パラメータを調節するためのオプションをユーザに提供する工程を含む、請求項1に記載の方法。
【請求項７】
表示のための1つまたは複数の広告の選択のためのドラッグ・ドロップ機能を含むグラフィカルユーザインタフェースをユーザに提供する工程を含む、請求項1に記載の方法。
【請求項８】
検索機能を含むグラフィカルユーザインタフェースをユーザに提供する工程を含み、該検索機能は、デジタルメディアを介して表示される1つまたは複数の広告を識別するために、該ユーザが広告のデータベースを検索することを可能にする、請求項1に記載の方法。
【請求項９】
グラフィカルユーザインタフェースが、ジャンルによってカテゴリ分けされた1つまたは複数の広告を選択するようユーザを促す、請求項8に記載の方法。
【請求項１０】
デジタルメディアを介する1つまたは複数の広告の表示のための複数のカスタマイゼーションオプションが、該1つまたは複数の広告のうちの1つまたは複数のための表示フォーマットを含み、該表示フォーマットが、音声フォーマット、動画フォーマット、画像フォーマットまたは上記フォーマットの2つ以上の組み合わせから選択される、請求項1に記載の方法。
【請求項１１】
デジタルメディアを介する1つまたは複数の広告の表示のための複数のカスタマイゼーションオプションが、該デジタルメディアを介して表示される広告ウィンドウの選択可能なサイズおよび／または形状を含み、該1つまたは複数の広告のうちの広告が、該デジタルメディアを介する該1つまたは複数の広告の表示の際、該広告ウィンドウの選択されたサイズおよび／または形状に適合するようなサイズにされるおよび／または形状にされる、請求項1に記載の方法。
【請求項１２】
デジタルメディアを介する1つまたは複数の広告の表示のための複数のカスタマイゼーションオプションが、広告主のロゴおよび／またはブランド名を含むフォトフィルター効果および／または背景を選択するためのオプションを含む、請求項1に記載の方法。
【請求項１３】
フォトフィルター効果および／または背景が、広告主のウェブページに導かれるハイパーリンクを含む、請求項12に記載の方法。
【請求項１４】
デジタルメディアを介する1つまたは複数の広告の表示のための複数のカスタマイゼーションオプションが、該デジタルメディアを介する該1つまたは複数の広告の表示の継続期間および／または頻度を含む、請求項1に記載の方法。
【請求項１５】
デジタルメディアを介する表示のために選択された1つまたは複数の広告の表示のための複数のカスタマイゼーションオプションが、モバイル機器表示構成または非モバイル機器表示構成を選択するためのオプションを含む、請求項1に記載の方法。
【請求項１６】
デジタルメディアを介して表示される1つまたは複数の広告のうちの1つまたは複数の表示が、所定の期間および／または所定のクリックスルー事象数の後に終了する、請求項1に記載の方法。
【請求項１７】
所定の期間および／または所定のクリックスルー事象数の後に表示が終了する1つまたは複数の広告を置換するための1つまたは複数の置換広告を選択するようユーザを促す工程を含む、請求項16に記載の方法。
【請求項１８】
所定の期間および／または所定のクリックスルー事象数の後に表示が終了する1つまたは複数の広告を、ユーザ入力なしで、自動的に置換する工程を含む、請求項16に記載の方法。
【請求項１９】
デジタルメディアがウェブページを含み、かつ方法が、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて報酬をユーザに提供する工程を含む、請求項1に記載の方法。
【請求項２０】
報酬が金銭的報酬である、請求項19に記載の方法。
【請求項２１】
報酬が、1つまたは複数の信用、クーポン、割引、昇格、ラッフルまたは特価提供の形態である、請求項19に記載の方法。
【請求項２２】
デジタルメディアがウェブサイトを含み、かつ方法が、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて得られた報酬を受け取る、該得られた報酬を受け取らない、または該得られた報酬を慈善団体に寄付するというユーザの選択を受け取る工程を含む、請求項1に記載の方法。
【請求項２３】
得られた報酬を慈善団体に寄付するというユーザの選択に基づいて、ウェブページ上に慈善バッジを表示する工程を含む、請求項22に記載の方法。
【請求項２４】
得られた報酬を受け取らないというユーザの選択に基づいて、ウェブページ上にバッジを表示する工程を含む、請求項22に記載の方法。
【請求項２５】
広告のユーザの以前の選択および／またはカスタマイゼーションオプションについてのユーザの以前の選択に基づいて、推薦される広告を該ユーザに提供する工程を含む、請求項1に記載の方法。
【請求項２６】
推薦される広告が、広告の以前の選択および／またはカスタマイゼーションオプションについての以前の選択のユーザの履歴の分析に基づく、請求項25に記載の方法。
【請求項２７】
推薦される広告の承諾、拒否または変更をユーザから受け取る工程を含む、請求項25に記載の方法。
【請求項２８】
以前に推薦された広告のユーザの以前の承諾、拒否または変更に少なくとも部分的に基づいて、追加の推薦される広告を提供する工程を含む、請求項27に記載の方法。
【請求項２９】
デジタルメディアがウェブページを含み、かつ方法が、該ウェブページ上に見出されるか、またはユーザによってアップロードされた、ダウンロードされた、および／もしくは視聴されたメディアに関連付けられている、1つまたは複数の写真タグに基づいて、推薦される広告を該ユーザに提供する工程を含む、請求項1に記載の方法。
【請求項３０】
デジタルメディアを介する表示のためにユーザによって選択された複数の広告のうちの少なくとも1つを、該ユーザによる後のアクセスのために記憶する工程を含む、請求項1に記載の方法。
【請求項３１】
複数の置換広告を含む広告待ち行列から、デジタルメディアを介する表示のために選択された1つまたは複数の広告のための1つまたは複数の置換広告をユーザに提供する工程を含む、請求項1に記載の方法。
【請求項３２】
1つまたは複数の置換広告をユーザに提供する工程が、デジタルメディアを介する表示のために選択された1つもしくは複数の広告のうちの1つもしくは複数の所定の期間および／もしくは所定のクリックスルー事象数の後の期限切れの時、またはデジタルメディアを介する表示のために選択された1つもしくは複数の広告のうちの1つもしくは複数の除去の時に生じる、請求項31に記載の方法。
【請求項３３】
ユーザによって広告待ち行列に広告が格納される、請求項31に記載の方法。
【請求項３４】
広告待ち行列が自動的に格納される、請求項31に記載の方法。
【請求項３５】
デジタルメディアを介してユーザカスタマイズされた広告を提供するためのシステムであって、該システムが、
広告データベースと；
デジタルメディアを表示するユーザ装置と；
1つまたは複数のコンピュータプロセッサと；
ユーザによる、該広告データベースからの、該デジタルメディアを介して表示される1つまたは複数の広告の選択を提供し、かつ
該デジタルメディアを介する該1つまたは複数の広告の表示のための複数のカスタマイゼーションオプションを該ユーザに提供する
グラフィカルユーザインタフェースと
を含み、
該1つまたは複数のプロセッサのうちの1つまたは複数が、該カスタマイゼーションオプションについての1つまたは複数のユーザ選択を受け取り、該カスタマイゼーションオプションについての該1つまたは複数のユーザ選択に従って、該デジタルメディアを介する表示のために該ユーザによって選択された該1つまたは複数の広告を該デジタルメディアを介して表示する、
システム。
【請求項３６】
システムのユーザに1つまたは複数の広告を提供する、グラフィカルユーザインタフェースを含む広告検索モジュールと；
該広告検索モジュールから1つまたは複数のユーザ選択された広告を受け取り、
該ユーザに、デジタルメディアを介する該1つまたは複数のユーザ選択された広告の表示のための複数のカスタマイゼーションオプションを提供し、
該カスタマイゼーションオプションについての1つまたは複数のユーザ選択を受け取り、かつ
該カスタマイゼーションオプションについての該1つまたは複数のユーザ選択に従って、該デジタルメディアを介して、該1つまたは複数のユーザ選択された広告を表示する、
グラフィカルユーザインタフェースを含む広告管理者モジュールと
を含む、システム。
【請求項３７】
機械可読命令が中に記憶されている機械可読媒体を含む、製造品であって、
該命令が、
ユーザに複数の広告を提供するための命令；
デジタルメディアを介する表示のために該ユーザによって選択された1つまたは複数の広告を識別するための命令；
該デジタルメディアを介する表示のために該ユーザによって選択された該1つまたは複数の広告の表示のための複数のカスタマイゼーションオプションを該ユーザに提供するための命令；
該カスタマイゼーションオプションについての1つまたは複数のユーザ選択を受け取るための命令；および
該カスタマイゼーションオプションについての該1つまたは複数のユーザ選択に従って、該デジタルメディアを介する表示のために該ユーザによって選択された該1つまたは複数の広告を該デジタルメディアを介して表示するための命令
を含む、製造品。
【請求項３８】
ソーシャルネットワーキングサービスを介する1つまたは複数の第一の広告の表示または配信に関して、該ソーシャルネットワーキングサービスのユーザの成果レベルを特徴付ける1つまたは複数の第一の指標を、グラフィカルユーザインタフェースでの表示のために、受け取る工程；
該1つまたは複数の第一の広告の表示または配信に関して、該ユーザが特定の成果レベルを満たしたと決定された場合に、該ソーシャルネットワーキングサービスを介して該ユーザによってアクセス可能なデータベースに1つまたは複数の第二の広告を提供する工程；および
該ソーシャルネットワーキングサービスを介する該1つまたは複数の第二の広告の表示または配信に関する該ユーザの成果を特徴付ける1つまたは複数の第二の指標を定期的に監視する工程
を含む、方法。
【請求項３９】
ソーシャルネットワーキングサービスを介する1つまたは複数の商業広告の提案される表示または配信に関して、該ソーシャルネットワーキングサービスの複数のユーザの各々の関連性を特徴付ける関連度順位を、グラフィカルユーザインタフェースでの表示のために、受け取る工程；
該関連度順位に基づいて、該複数のユーザから1人または複数のユーザを選択する工程；
1つまたは複数の広告を、該ソーシャルネットワーキングサービスを介して該選択されたユーザによってアクセス可能なデータベースに提供し、それにより該ユーザが該ソーシャルネットワーキングサービスを介する表示または配信のための該1つまたは複数の広告を選択することができる工程；および
該ソーシャルネットワーキングサービスを介する該1つまたは複数の広告の表示または配信に関する該ユーザの成果を特徴付ける指標を定期的に監視する工程
を含む、方法。
【請求項４０】
ソーシャルネットワーキングサービスを介する1つまたは複数の第一の広告の表示または配信に関して、該ソーシャルネットワーキングサービスのユーザの成果レベルを特徴付ける1つまたは複数の指標を、グラフィカルユーザインタフェースでの表示のために、受け取る工程；および
該1つまたは複数の第一の広告の表示または配信に関して、該ユーザが特定の成果レベルを満たしたと決定された場合に、該ソーシャルネットワーキングサービスを介して該ユーザによってアクセス可能なデータベースから1つまたは複数の第二の広告を受け取る工程
を含む、方法。
【請求項４１】
1つまたは複数の指標が、以下：
第一の広告を表示するソーシャルネットワーキングサービス上のユーザウェブページが受け取る視聴回数、該ユーザウェブページが所与の期間内に受け取る視聴回数、該ユーザウェブページ上に表示される該第一の広告が受け取るクリックスルー事象数、該ユーザウェブページ上に表示される該第一の広告が所与の期間中に受け取るクリックスルー事象数、および該ユーザから受け取られた該第一の広告を視聴するユーザ数
から選択される、請求項40に記載の方法。
【請求項４２】
ユーザカスタマイズされた広告を提供するための方法であって、該方法が、
グラフィカルユーザインタフェースを介して複数の広告をユーザに提供する工程；
メディアの1つまたは複数の形態を介する表示のための該ユーザによって選択された1つまたは複数の広告を識別する工程；
該ユーザによって選択された該1つまたは複数の広告の表示のために、該グラフィカルユーザインタフェースを介して、複数のカスタマイゼーションオプションを該ユーザに提供する工程；
該グラフィカルユーザインタフェースを介して、該カスタマイゼーションオプションについての1つまたは複数のユーザ選択を受け取る工程；および
該カスタマイゼーションオプションについての該1つまたは複数のユーザ選択に従って、表示のために該ユーザによって選択された該1つまたは複数の広告を、該メディアの1つまたは複数の形態を介して、表示する工程
を含み、該工程の1つまたは複数が1つまたは複数のコンピュータプロセッサを使用して実施される、方法。
【発明の詳細な説明】
【技術分野】
【０００１】
相互参照
本出願は、参照によりその全体が本明細書に組み入れられる、2014年4月11日に出願された米国仮特許出願第61/978,748号の恩典を主張する。
【背景技術】
【０００２】
序論
例えばユーザのウェブ閲覧履歴に基づく、的を絞った広告提供の役割は、ソーシャルメディアアプリケーションに関連して急速に広がっている。しかしながら、このような戦略は多くの場合、ユーザ情報およびオンライン活動に対してプライバシーの問題を引き起こす。コンテンツプロバイダおよびソーシャルメディアプラットフォームに対する広告の重要性を考慮すると、当技術分野において、ユーザプライバシーを保護すると同時に有意義な方法で広告をユーザに伝えるための改善された方法およびシステムの必要性が存在する。
【発明の概要】
【０００３】
概要
本開示は、ユーザを広告生成、選択、提示および／または伝播プロセスに直接関与させ、それによってユーザのオンライン活動の追跡の必要性を減少するか、または排除する、コンピュータにより実行されるシステムおよび方法を提供する。換言するならば、ユーザは、広告ネットワークへの直接接続を提供され、それを介してユーザは、視聴する広告を能動的に選択することができる。加えて、ユーザに多様な広告カスタマイゼーションオプションを提供することによって、ユーザは、広告提示および／または伝播プロセスに能動的に参加する。本明細書において開示されているのは、デジタルメディアを介する広告のユーザカスタマイゼーションおよび表示のための、コンピュータにより実行されるシステムおよび方法である。概して、開示されているシステムおよび方法は、グラフィカルユーザインタフェースを含み、これは、ユーザ、例えばソーシャルネットワーキングサービスのユーザが、広告のデータベースを検索し、関心のある1つまたは複数の広告を選択し、関心のある1つまたは複数の広告の表示のためのフォーマットを選択し、関心のある1つまたは複数の広告の表示のための1つまたは複数のカスタマイゼーションオプションを選択し、1つまたは複数のカスタマイゼーションオプションについての1つまたは複数の選択に従って、デジタルメディア、例えばウェブページを介して関心のある1つまたは複数の広告を表示することを可能にする。
【０００４】
いくつかの態様において、開示されているシステムおよび方法はまた、以下：デジタルメディア、例えばウェブページが受け取る視聴回数、デジタルメディアが所与の期間内に受け取る視聴回数、デジタルメディアを介して表示される広告が受け取る視聴回数、デジタルメディアを介して表示される広告が所与の期間中に受け取る視聴回数、デジタルメディアを介して表示される広告が受け取るクリックスルー事象数、デジタルメディアを介して表示される広告が所与の期間中に受け取るクリックスルー事象数、デジタルメディアにリンクされているユーザ数、および所与の期間中にデジタルメディアにアクセスするユーザ数の1つまたは複数に基づく、ユーザの報酬のための機構を提供する。このように、いくつかの態様において、本開示は、ソーシャルネットワーキングサービスのユーザが表示のための広告を選択し、カスタマイズすることを可能にし、かつそれに関連してユーザの報酬を提供する、インタラクティブな広告創作／カスタマイゼーション環境を提供する。ユーザを広告選択プロセスに積極的に関与させること、およびユーザが広告をカスタマイズすることを可能にすることによって、商業広告の配信のための改善された方法およびシステムが提供される。
【図面の簡単な説明】
【０００５】
本明細書に組み入れられる添付の図面は、明細書の一部を形成する。本明細書の記述された記載と共に、図面は、特許請求されたシステムおよび方法の原理を説明し、かつ関連技術分野における熟練した者がそれらを作成し、使用することができるようにするのにさらに役立つものである。
【０００６】
【図１】本開示の1つの態様を図示するハイレベル図である。
【図２】本開示の詳細な態様を図示する図である。
【図３】本開示の別の詳細な態様を図示する図である。
【図４】開示されたシステムおよび／または方法の1つまたは複数を実行するために使用され得るコンピュータシステムの1つの態様の図である。
【発明を実施するための形態】
【０００７】
定義
本発明を詳細に記載する前に、本明細書において使用される主要な用語および概念の定義を提供することが有益である。特に断りのない限り、本明細書において使用される全ての技術用語および科学用語は、本発明が属する技術分野において通常の知識を有する者によって一般的に理解されるものと同じ意味を有する。
【０００８】
「広告（advertisement）」または「広告（ad）」：製品、サービスおよび／またはブランドを販売促進するかまたは表示するために使用される、関連テキストを伴うかまたは伴わない、1つまたは複数の動画、画像および／または録音。単数形または複数形での用語「広告（advertisement）」および「広告（ad）」は、互換的に使用される。用語「動画」および「画像」は、実際の視覚表現、あるいは視覚表現が具現化される機械可読および／または機械記憶可能な媒体、機械可読および／または機械記憶可能な媒体の位置識別子（例えば、ユニフォームリソースロケーター（URL））あるいはコンピュータにより実行されるシステムおよび／またはユーザを視覚表現へ導くための任意の同等手段を指し得る。同様に、用語「録音」は、実際の音声表現、あるいは音声表現が具現化される機械可読および／または機械記憶可能な媒体、機械可読および／または機械記憶可能な媒体の位置識別子（例えば、ユニフォームリソースロケーター（URL））あるいはコンピュータにより実行されるシステムおよび／またはユーザを音声表現へ導くための任意の同等手段を指し得る。
【０００９】
「広告サーバ」：広告のカタログを保持し、広告を配信し、ならびに／あるいは広告、キャンペーン、および／または広告が表示されているプラットフォームから独立したキャンペーン指標を追跡する、1つまたは複数のコンピュータまたは同等システム。
【００１０】
「キャンペーン」：広告プロジェクトを計画する、創作する、買う、および／または追跡するプロセスまたはプログラム。
【００１１】
「商業者」：製品またはサービスの売手または提供者；売手または提供者の代理をする代理人；あるいは製品またはサービスに関連するデジタルコンテンツを立案する、および／または提供することを任されている任意の第三者。例えば、商業者という用語は、広告主、広告代理店、または製品もしくはサービスを広告するためにデジタルコンテンツを開発することを任されている他の仲介人を含むほど十分に広く解釈されるべきである。
【００１２】
「デジタルメディア」：この用語は、本明細書において、例えば、ウェブサイト、ウェブページ、デスクトップおよびモバイル機器アプリケーションなどを含むテキスト、グラフィック、音声ファイル、動画ファイル、およびそれらの組み合わせのようなデジタル化されたコンテンツを指すために広く使用される。
【００１３】
「ウェブページ」：この用語は、本明細書において、モニタまたはモバイル機器上にウェブブラウザによって表示されるウェブ文書を包含するために広く使用される。該用語はまた、例えばモバイル機器によって表示されるような、モバイルアプリケーション（またはモバイル「アプリ」）インタフェースを指すためにも使用され得る。
【００１４】
詳細な説明
上記で論じられたとおり、本開示は、デジタルメディア、例えばウェブページを介する広告のユーザカスタマイゼーションおよび表示のための、コンピュータにより実行されるシステムおよび方法を提供する。本開示は少なくとも部分的に、1つまたは複数のソーシャルメディアプラットフォーム（すなわち、1つまたは複数のソーシャルネットワーキングサービス）に関連して、ユーザにより選択されるおよび／またはユーザにより変更されるメディアの効率的な伝播をどのように達成するかという技術的問題に取り組むものとして特徴付けられることができる。本開示は部分的に、さらなる伝播のための、エンドユーザによる広告の表示および変更のための方法およびシステムを提供するものであり、これは、既存の的を絞った広告配信方法およびシステムと比べて、向上されたユーザプライバシーを提供することができる。例えば、図1を参照すると、いくつかの態様において、本開示は、広告検索モジュール102および広告管理者モジュール104を含むシステム100を提供する。広告検索モジュール102を利用すると、システムのユーザ（例えば、ソーシャルネットワーキングサービスのユーザ）は、広告（例えば、第三者の広告主によって提供された広告）を検索し（106）、広告フォーマットを選択し（108）、任意で広告を視聴し（110）、システムの広告管理者モジュールでの表示／変更のために広告を選択し（112）得る。システムの広告管理者モジュール104を利用すると、システムのユーザは、1つまたは複数の選択された広告をカスタマイズし（114）、任意で1つまたは複数の選択された広告をプレビューし（116）、任意で1つまたは複数の選択された広告を表示し（118）、任意で1つまたは複数の選択された広告をブロードキャストし（120）得る。
【００１５】
上記システムの使用を容易にするために、広告検索モジュール102は、グラフィカルユーザインタフェースを含み得、そこで広告検索モジュール102が、システムのユーザに1つまたは複数の広告を提供する。同じくグラフィカルユーザインタフェースを含み得る広告管理者モジュール104は、以下の動作を可能にする：広告検索モジュール102から1つまたは複数のユーザ選択された広告を受け取ること、ユーザにデジタルメディア、例えばウェブページを介する1つまたは複数のユーザ選択された広告の表示のための複数のカスタマイゼーションオプションを提供すること、カスタマイゼーションオプションについての1つまたは複数のユーザ選択を受け取ること、およびカスタマイゼーションオプションについての1つまたは複数のユーザ選択に従って1つまたは複数のユーザ選択された広告をデジタルメディアを介して表示すること。
【００１６】
また、図2を参照すると、ソーシャルネットワーキングサービスと統合され得る、例えば、ソーシャルネットワーキングサービスのコンポーネントとして実現され得る、システム200が提供されている。システム200は、ホームページ202を含む。ホームページ202から、ユーザは、広告検索モジュール204および広告管理者モジュール206にアクセスすることができる。広告検索モジュール204内で、ユーザは、1つまたは複数の広告ジャンル、例えばスポーツ、自動車、娯楽、電子機器、食品、美容などのユーザの選択を促し得る、可能にし得る、および／または容易にし得るカテゴリ別広告オプション208を選択し得る。これは、例えば、ユーザ選択可能な広告ジャンルオプションを含むグラフィカルユーザインタフェースを提供することによって、達成され得る。このようなオプションは、任意の適切な方法で、例えば、カテゴリリスト212の形態で（例えばドロップダウンリスト）、1つまたは複数のメニュー項目として、個々に選択可能なアイコンなどで提供され得る。カテゴリ別広告オプション208および／またはカテゴリリスト212から、ユーザは、1つまたは複数のサブカテゴリ214にアクセスし得、これは、カテゴリ別広告オプション208によって提供された広告ジャンルのさらなる分類を提供する。カテゴリ別広告オプション208と同様に、これらのサブカテゴリ214は、任意の適切な方法で、例えば、サブカテゴリリストの形態で、1つまたは複数のメニュー項目として、個々に選択可能なアイコンなどで、ユーザ選択可能なオプションを提供し得る。
【００１７】
例として、ジャンル「スポーツ」の範囲内において、適切なユーザ選択可能なサブカテゴリは、例えば、スポーツウェア、スポーツ用品、スポーツ記念品などを含み得る。ジャンル「自動車」の範囲内において、適切なユーザ選択可能なサブカテゴリは、例えば、新車、中古車、コンセプトカー、自動車修理、オートバイなどを含み得る。ジャンル「娯楽」の範囲内において、適切なユーザ選択可能なサブカテゴリは、例えば、映画、コンサート、演劇、スポーツイベントなどを含み得る。ジャンル「電子機器」の範囲内において、適切なユーザ選択可能なサブカテゴリは、例えば、テレビゲーム、テレビゲーム機、コンピュータ（例えば、デスクトップコンピュータ、ラップトップコンピュータ、タブレット型コンピュータなど）、スマートフォン、メディアプレーヤー、テレビ、ステレオコンポなどを含み得る。ジャンル「食品」の範囲内において、適切なユーザ選択可能なサブカテゴリは、例えば、ファーストフード、高級料理、料理本などを含み得る。ジャンル「美容」の範囲内において、適切なユーザ選択可能なサブカテゴリは、例えば、化粧品、香水、ヘアケア製品などを含み得る。多くの他の適切なサブカテゴリが、当業者には容易に明らかとなるであろう。
【００１８】
上記で論じられたとおりの1つまたは複数のジャンルまたはサブカテゴリのユーザ選択、例えばカテゴリ別広告オプション208、カテゴリリスト212、またはサブカテゴリ214からのユーザ選択に基づいて、ブランドのリスト216が、例えばグラフィカルユーザインタフェースのコンポーネントとして提供される。選択されたジャンルまたはサブカテゴリに含まれる商品および／またはサービスを提供する本明細書において記載されたとおりの1つまたは複数の商業者を識別する、ブランドのリスト216は、任意の適切な方法で、例えば、リストの形態で（例えばドロップダウンリスト）、1つまたは複数のメニュー項目として、個々に選択可能なアイコンなどとして提供され得る。1つまたは複数の商業者は、名前、ロゴ、商標、サービスマークおよび／または任意の他の適切な手段によって識別され、および／または表現され得る。
【００１９】
カテゴリ別広告オプション208を選択することの代替として（またはそれに加えて）、ユーザは、A-Zブランド名鑑210を選択し得、これは、利用可能な広告および／または関連するブランドのリスト、例えば順序付きリストをユーザ選択に対して提供する。A-Zブランド名鑑210は、任意の適切な方法で、例えば、1つまたは複数のメニュー項目として、個々に選択可能なアイコンなどで、ユーザ選択可能なオプションを提供し得る。A-Zブランド名鑑210は、利用可能な広告および／または関連するブランドの検索可能なリストを提供し得る。利用可能な広告および／または関連するブランドのリストは、アルファベット順、利用可能な広告の数の順、または任意の他の適切な順で提供され得る。
【００２０】
ひとたびブランドが、例えば、ブランドのリスト216またはA-Zブランド名鑑210から、ユーザによって選択され、および／またはアクセスされたら、ユーザは、システム200内部のまたはシステム200にリンクされている、第三者の広告主、すなわち商業者の公式アカウントページであり得る、ブランド広告ページ218へ導かれる。ブランド広告ページ218から、ユーザは、例えば、特定の商業者、すなわち広告主からの、それぞれユーザ選択可能な動画、音声および写真広告を提供するブランド動画広告220、ブランド音声広告222およびブランド写真広告224から選択することによって、所望の広告フォーマットを選択し得る。この点について、本明細書において使用される用語「動画広告」は、少なくとも1つの動画コンポーネントを含むが、音声、グラフィックおよび／またはテキストコンポーネントの1つまたは複数も含み得ることが留意されるべきである。対照的に、本明細書において使用される用語「音声広告」は、少なくとも音声コンポーネントを含むが、動画コンポーネントを含まない広告を指す。音声広告はまた、1つまたは複数のグラフィックおよび／またはテキストコンポーネントを含み得る。本明細書において使用される「写真広告」は、少なくとも1つの写真コンポーネント、グラフィックコンポーネントおよび／またはテキストコンポーネントを含む。
【００２１】
ブランド動画広告220、ブランド音声広告222およびブランド写真広告224から、ユーザは、選択されたフォーマットで、例えばそれぞれ動画広告リスト226、音声広告リスト228および／または写真広告リスト230の形態で、関連性のあるユーザ選択可能な広告のリストを提供され得る。これらの「リスト」は、任意の適切な方法で、例えば、1つまたは複数のメニュー項目、個々に選択可能なアイコン、サムネイルなどとして提供され得る。
【００２２】
動画広告リスト226、音声広告リスト228および／または写真広告リスト230から1つまたは複数の広告を選択した後、ユーザは任意で、広告を視聴するオプション232で、1つまたは複数の選択された広告の1つまたは複数を視聴し得る。
【００２３】
動画広告リスト226、音声広告リスト228および／または写真広告リスト230から1つまたは複数の広告を選択しおよび／または視聴した後、ユーザは、カスタマイゼーション、公開および／または共有のために、ドラッグ・アンド・ドロップ機能234を利用して、1つまたは複数の選択された広告を広告管理者モジュール206の設定コンポーネント244へ移動させ得る、そこで開き得る、および／またはその中に保存し得る。これは、例えば、ドラッグ・アンド・ドロップ機能234を使用して、1つまたは複数の選択された広告（またはその表示）をグラフィカルユーザインタフェース上の設定コンポーネント244の表示（例えばアイコン）上に載せることによって達成され得る。ドラッグ・アンド・ドロップ機能234はまた、ユーザに、1つまたは複数の選択された広告を広告管理者206のページプレビュー（258）へ移動させる、そこで開く、および／またはその中に保存するためのオプションを提供する。このページプレビュー（258）は、以下でより詳細に記載される。
【００２４】
広告管理者モジュール206の中で、広告管理者設定コンポーネント244は、例えば、選択された広告の表示のための構成および／または設定を調節することによって、ユーザが1つまたは複数の選択された広告を表示のためにカスタマイズすることを可能にする。広告管理者設定コンポーネント244から、ユーザは、広告、例えばユーザによってカスタマイズされた広告を視聴する／載せる（252）こと、広告をブロードキャストする（254）こと、または広告を削除する／除去する（256）ことを選ぶことができる。ユーザはまた、ページプレビュー（258）で、1つまたは複数の選択された広告を視聴するオプションを有し、これは、1つまたは複数の広告が、所望の位置に、例えばソーシャルネットワーキングサービスのウェブページのような任意の適切なウェブページ上に表示されたときにどのように見えるかといったプレビューを提供する。
【００２５】
ユーザが、広告を視聴する／載せる（252）オプションを選択すると、ユーザは、広告、例えば、ユーザによってカスタマイズされた広告を視聴し、ならびに／あるいは所望の位置に、例えば、ソーシャルネットワーキングサービスのウェブページのような任意の適切なウェブページ上に広告を載せるおよび／または表示するオプションを選択し得る。ウェブページは、デスクトップコンピュータまたはモバイルコンピューティングデバイス（例えば、スマートフォン、例えばiPhone（登録商標）またはAndroid（登録商標）携帯、タブレット型コンピュータなど）のいずれかに表示させるように最適化されるおよび／または構成されるものであり得る。ソーシャルネットワーキングサービスのウェブページ上に表示されるとき、選択された広告は、ウェブページ上のユーザの投稿および／または最新情報の近くに、例えばそれに隣接して位置付けられ得る。例えば、選択された広告は、ウェブページ上のユーザの投稿および／または最新情報の右に、左に、上に、または下に位置付けられ得る。
【００２６】
ユーザが、広告をブロードキャストする（254）オプションを選択すると、ユーザは、広告を、ユーザのつながりの1つまたは複数；例えば、ソーシャルネットワーキングサービス上のユーザのつながりの1つまたは複数、例えば、ソーシャルネットワーキングサービス用のユーザの「友達リスト」上の1つまたは複数の個人または団体；ユーザの電子メール連絡先の1つまたは複数などに、送信することを選び得る。
【００２７】
ユーザ選択された広告を広告管理者モジュール206内に移動する、および／またはそこで開くことの代替として、ユーザ選択された広告は、広告管理者モジュール206内での後の実行および／またはカスタマイゼーションのために、広告カート242内に記憶され得る。例えば、ユーザは、広告管理者設定コンポーネント244を使用するカスタマイゼーションのために広告カート内に記憶された1つまたは複数の広告を選択し得る。
【００２８】
ホームページ202から、ユーザはまた、注目ブランドコンポーネント262を介して、注目のブランドおよび／または広告のリストにアクセスすることができる。これらの注目のブランドおよび／または広告は、ユーザに、任意の適切な方法で、例えば、リストの形態（例えばドロップダウンリスト）で、1つまたは複数のメニュー項目として、個々に選択可能なアイコンなどとして、提供され得る。1つまたは複数の注目のブランドおよび／または広告がユーザによって選択されると、ユーザは、上記のとおりのブランド広告ページ218に連れて行かれ、それによって、ユーザは、所望の広告フォーマットを選択することができる。次いで、ユーザは、上記で概説されたように進み得る。
【００２９】
システム200はまた、広告推薦エンジン260を含み得、これは、可能な選択および／またはカスタマイゼーションのために、1つまたは複数の推薦される広告をユーザに提供するように機能する。広告推薦エンジン260は、自動的に、またはユーザによって促されると、推薦し得る。広告推薦エンジン260は、1つまたは複数の推薦される広告を、広告管理者206からアクセスされ得る設定コンポーネント244および／またはページプレビュー（258）へ移動させる、そこで開く、および／またはその中に保存することによって、ユーザに1つまたは複数の推薦される広告を提供し得る。代替的に、または加えて、広告推薦エンジン260は、ユーザによる後のアクセスのために、ユーザの広告カート242に1つまたは複数の推薦される広告を入れ得る。
【００３０】
ソーシャルネットワーキングサービスのコンポーネントとして広告カスタマイゼーションシステムを提供することの代替として、このようなシステムは、「スタンドアローン」アプリケーションおよび／またはシステムとして提供され得る。このようなシステムは、図2を参照して上で記載したもののような統合システムと多くの類似点を有し得る。そこで、このような「スタンドアローン」システムの態様が、図3を参照して記載される。
【００３１】
システム300は、ユーザがシステム300のユーザとして登録することができる、サインアップページ302を含む。このような登録は、名前、住所、電子メールアドレス、電話番号、年齢、性別などのような身元確認情報を提供することをユーザに要求および／または促し得る。登録は、無料で提供され得るか、または例えばクレジットカードを使用して支払われ得る登録料の支払いを要求し得る。登録は、滑らかな共通の登録を実施するために、外部ウェブサイト、例えばモバイルアプリと統合され得る。例えば、ユーザがすでにソーシャルネットワーキングサービスで有効登録を有する場合、システムは、「ワンクリック」登録を提供し得、それによってシステムが、ユーザに代わってソーシャルネットワーキングサービスサーバに接触して、自動的にユーザの登録情報を入手することができる。ひとたびユーザが首尾よくシステムのユーザとして登録したら、ユーザは、アクセス認証情報、例えばユーザ名および／またはパスワードを提供されるか、またはそれを作成するように促され得る。いくつかの態様において、登録プロセスの一部として、ユーザはまた、例えばユーザの興味を見極めるために、多様な質問に答えるように促され得る。次に、このような情報は、以下でより詳細に論じられるように、システムの他のコンポーネントによって利用され得る。システム300は、ホームページ304を含む。ホームページ304から、ユーザは、広告検索モジュール306および広告管理者モジュール308にアクセスすることができる。広告検索モジュール306内で、ユーザは、1つまたは複数の広告ジャンル、例えば、スポーツ、自動車、娯楽、電子機器、食品、美容などのユーザの選択を促し得る、可能にし得る、および／または容易にし得る、カテゴリ別広告オプション310を選択し得る。これは、例えば、ユーザ選択可能な広告ジャンルオプションを含むグラフィカルユーザインタフェースを提供することによって、達成され得る。このようなオプションは、任意の適切な方法で、例えば、カテゴリリスト314の形態で（例えばドロップダウンリスト）、1つまたは複数のメニュー項目として、個々に選択可能なアイコンなどで提供され得る。カテゴリ別広告オプション310および／またはカテゴリリスト314から、ユーザは、1つまたは複数のサブカテゴリ316にアクセスし得、これは、カテゴリ別広告オプション310によって提供された広告ジャンルのさらなる分類を提供する。カテゴリ別広告オプション310と同様に、これらのサブカテゴリ316は、任意の適切な方法で、例えば、サブカテゴリリストの形態で、1つまたは複数のメニュー項目として、個々に選択可能なアイコンなどで、ユーザ選択可能なオプションを提供し得る。適切なユーザ選択可能なサブカテゴリは、システム200に関して上で記載したものと同様であり得る。
【００３２】
上記で論じられたとおりの1つまたは複数のジャンルまたはサブカテゴリのユーザ選択、例えばカテゴリ別広告オプション310、カテゴリリスト314またはサブカテゴリ316からのユーザ選択に基づいて、ブランドのリスト318が、例えばグラフィカルユーザインタフェースのコンポーネントとして提供される。選択されたジャンルまたはサブカテゴリに含まれる商品および／またはサービスを提供する本明細書において記載されたとおりの1つまたは複数の商業者を識別する、ブランドのリスト318は、任意の適切な方法で、例えば、リストの形態で（例えばドロップダウンリスト）、1つまたは複数のメニュー項目として、個々に選択可能なアイコンなどとして提供され得る。1つまたは複数の商業者は、名前、ロゴ、商標、サービスマークおよび／または任意の他の適切な手段によって識別され、および／または表現され得る。
【００３３】
カテゴリ別広告オプション310を選択することの代替として（またはそれに加えて）、ユーザは、A-Zブランド名鑑312を選択し得、これは、利用可能な広告および／または関連するブランドのリスト、例えば順序付きリストをユーザ選択に対して提供する。A-Zブランド名鑑312は、任意の適切な方法で、例えば、1つまたは複数のメニュー項目として、個々に選択可能なアイコンなどで、ユーザ選択可能なオプションを提供し得る。A-Zブランド名鑑312は、利用可能な広告および／または関連するブランドの検索可能なリストを提供し得る。利用可能な広告および／または関連するブランドのリストは、アルファベット順、利用可能な広告の数の順、または任意の他の適切な順で提供され得る。
【００３４】
ひとたびブランドが、例えば、ブランドのリスト318またはA-Zブランド名鑑312から、ユーザによって選択され、および／またはアクセスされたら、ユーザは、システム300内部のまたはシステム300にリンクされている、第三者の広告主、すなわち商業者の公式アカウントページであり得るブランド広告ページ320へ導かれる。ブランド広告ページ320から、ユーザは、例えば、特定の商業者、すなわち広告主からの、それぞれユーザ選択可能な動画、音声および写真広告を提供するブランド動画広告322、ブランド音声広告324およびブランド写真広告326から選択することによって、所望の広告フォーマットを選択し得る。
【００３５】
ブランド動画広告322、ブランド音声広告324およびブランド写真広告326から、ユーザは、選択されたフォーマットで、例えば、それぞれ動画広告リスト328、音声広告リスト330および／または写真広告リスト332の形態で、関連するユーザ選択可能な広告のリストを提供され得る。これらの「リスト」は、任意の適切な方法で、例えば、1つまたは複数のメニュー項目、個々に選択可能なアイコン、サムネイルなどとして提供され得る。
【００３６】
動画広告リスト328、音声広告リスト330および／または写真広告リスト332から1つまたは複数の広告を選択した後、ユーザは任意で、広告を視聴するオプション334で、1つまたは複数の選択された広告の1つまたは複数を視聴し得る。
【００３７】
動画広告リスト328、音声広告リスト330および／または写真広告リスト334から1つまたは複数の広告を選択し、および／または視聴した後、ユーザは、カスタマイゼーション、公開および／または共有のために、ドラッグ・アンド・ドロップ機能336を利用して、1つまたは複数の選択された広告を広告管理者モジュール308へ移動させ得る、そこで開き得る、および／またはその中に保存し得る。これは、例えば、ドラッグ・アンド・ドロップ機能336を使用して、1つまたは複数の選択された広告（またはその表示）をグラフィカルユーザインタフェース上の設定コンポーネント342の表示（例えばアイコン）上に載せることによって、達成され得る。ドラッグ・アンド・ドロップ機能336はまた、ユーザに、1つまたは複数の選択された広告を広告管理者308のページプレビュー（352）へ移動させる、そこで開く、および／またはその中に保存するオプションを提供する。このページプレビュー（352）は、以下でより詳細に記載される。
【００３８】
広告管理者モジュール308の中で、広告管理者設定コンポーネント342は、例えば、選択された広告の表示のための構成および／または設定を調節することによって、ユーザが1つまたは複数の選択された広告を表示のためにカスタマイズすることを可能にする。広告管理者設定コンポーネント342から、ユーザは、広告、例えばユーザによってカスタマイズされた広告を視聴する／載せる（346）こと、広告をブロードキャストする（348）こと、または広告を削除する／除去する（350）ことを選ぶことができる。ユーザはまた、ページプレビュー（352）で、1つまたは複数の選択された広告を視聴するオプションを有し、これは、1つまたは複数の広告が、所望の位置に、例えばソーシャルネットワーキングサービスのウェブページのような任意の適切なウェブページ上に置かれたときにどのように見えるかといったプレビューを提供する。
【００３９】
ユーザが、広告を視聴する／載せる（346）オプションを選択すると、ユーザは、広告、例えば、ユーザによってカスタマイズされた広告を視聴し、ならびに／あるいは所望の位置に、例えば、ソーシャルネットワーキングサービスのウェブページのような任意の適切なウェブページ上に広告を載せるおよび／または表示するオプションを選択し得る。ウェブページは、デスクトップコンピュータまたはモバイルコンピューティングデバイス（例えば、スマートフォン、例えばiPhone（登録商標）またはAndroid（登録商標）携帯、タブレット型コンピュータなど）のいずれかに表示させるように最適化されるおよび／または構成されるものであり得る。ソーシャルネットワーキングサービスのウェブページ上に表示されるとき、選択された広告は、ウェブページ上のユーザの投稿および／または最新情報の近くに、例えばそれに隣接して位置付けられ得る。例えば、選択された広告は、ウェブページ上のユーザの投稿および／または最新情報の右に、左に、上に、または下に位置付けられ得る。
【００４０】
ユーザが、広告をブロードキャストする（348）オプションを選択すると、ユーザは、広告を、ユーザのつながりの1つまたは複数；例えば、ソーシャルネットワーキングサービス上のユーザのつながりの1つまたは複数、例えば、ソーシャルネットワーキングサービス用のユーザの「友達リスト」上の1つまたは複数の個人または団体；ユーザの電子メール連絡先の1つまたは複数などに、送信することを選び得る。
【００４１】
ユーザ選択された広告を広告管理者モジュール308へ移動する、および／またはそこで開くことの代替として、ユーザ選択された広告は、広告管理者モジュール308内での後の実行のために、広告カート340内に記憶され得る。例えば、ユーザは、広告管理者設定コンポーネント342を使用するカスタマイゼーションのために広告カート内に記憶された1つまたは複数の広告を選択し得る。
【００４２】
ホームページ304から、ユーザはまた、注目ブランドコンポーネント356を介して、注目のブランドおよび／または広告のリストにアクセスすることができる。これらの注目のブランドおよび／または広告は、ユーザに、任意の適切な方法で、例えば、リストの形態（例えばドロップダウンリスト）で、1つまたは複数のメニュー項目として、個々に選択可能なアイコンなどとして、提供され得る。1つまたは複数の注目のブランドおよび／または広告がユーザによって選択されると、ユーザは、上記のとおりのブランド広告ページ320に連れて行かれ、それによって、ユーザは、所望の広告フォーマットを選択することができる。次いで、ユーザは、上記で概説されたように進み得る。
【００４３】
システム300はまた、広告推薦エンジン354を含み得、これは、可能な選択および／またはカスタマイゼーションのために、1つまたは複数の推薦される広告をユーザに提供するように機能する。広告推薦エンジン354は、自動的に、またはユーザによって促されると、推薦し得る。広告推薦エンジン354は、1つまたは複数の推薦される広告を、広告管理者308からアクセスされ得るページプレビュー（352）へ移動させる、そこで開く、および／またはその中に保存することによって、ユーザに1つまたは複数の推薦される広告を提供し得る。代替的に、または加えて、広告推薦エンジン260は、ユーザによる後のアクセスのために、ユーザの広告カート340に1つまたは複数の推薦される広告を入れ得る。
【００４４】
方法およびシステム
図を参照して上で記載した詳細なシステムの態様に加えて、本開示は、デジタルメディア、例えばウェブページを介する表示のための広告のユーザ選択およびカスタマイゼーションを可能にする、多様な関連方法およびシステムを提供する。例えば、いくつかの態様において、以下の工程を含む方法が提供され、これらの工程の1つまたは複数は、1つまたは複数のコンピュータプロセッサを使用して実施される：広告のデータベースを検索する工程；検索する工程の結果に基づいて、広告の1つまたは複数を、デジタルメディアを介して表示するために選択する工程；デジタルメディアを介する表示のために選択された1つまたは複数の広告の表示のためのフォーマットを選択する工程；デジタルメディアを介する表示のために選択された1つまたは複数の広告の表示のための複数のカスタマイゼーションオプションを視聴する工程；デジタルメディアを介する表示のために選択された1つまたは複数の広告の表示のためのカスタマイゼーションオプションの1つまたは複数を選択する工程；および、1つまたは複数のカスタマイゼーションオプションについての1つまたは複数の選択に従って、デジタルメディアを介する表示のために選択された1つまたは複数の広告を視聴する工程。デジタルメディアは、ウェブページを含み得、そこに、1つまたは複数のカスタマイゼーションオプションについての1つまたは複数の選択に従って、表示のために選択された1つまたは複数の広告が、視聴のために表示される。
【００４５】
また、デジタルメディア、例えばウェブページを介してユーザカスタマイズされた広告を提供するための方法が提供され、該方法は以下の工程を含み、これらの工程の1つまたは複数は、1つまたは複数のコンピュータプロセッサを使用して実施される：ユーザに複数の広告を提供する工程；デジタルメディアを介する表示のためにユーザによって選択された1つまたは複数の広告を識別する工程；ユーザに、デジタルメディアを介する表示のためにユーザによって選択された1つまたは複数の広告の表示のための複数のカスタマイゼーションオプションを提供する工程；カスタマイゼーションオプションについての1つまたは複数のユーザ選択を受け取る工程；および、カスタマイゼーションオプションについての1つまたは複数のユーザ選択に従って、デジタルメディアを介する表示のためにユーザによって選択された1つまたは複数の広告をデジタルメディアを介して表示する工程。デジタルメディアは、ウェブページを含み得、そこに、1つまたは複数のカスタマイゼーションオプションについての1つまたは複数の選択に従って、表示のために選択された1つまたは複数の広告が、視聴のために表示される。
【００４６】
また、ユーザカスタマイズされた広告をデジタルメディア、例えばウェブページを介して提供するためのシステムが提供され、該システムは、広告データベース；デジタルメディアを表示するユーザ装置；1つまたは複数のコンピュータプロセッサ；およびグラフィカルユーザインタフェースを含み、ここで、該グラフィカルユーザインタフェースは、ユーザによる、広告データベースからの、デジタルメディアを介して表示される1つまたは複数の広告の選択を提供し、かつユーザにデジタルメディアを介する1つまたは複数の広告の表示のための複数のカスタマイゼーションオプションを提供し、該1つまたは複数のプロセッサのうちの1つまたは複数は、カスタマイゼーションオプションについての1つまたは複数のユーザ選択を受け取り、かつカスタマイゼーションオプションについての1つまたは複数のユーザ選択に従って、デジタルメディアを介する表示のためのユーザによって選択された1つまたは複数の広告をデジタルメディアを介して表示する。デジタルメディアは、ウェブページを含み得、そこに、1つまたは複数のカスタマイゼーションオプションについての1つまたは複数の選択に従って、表示のために選択された1つまたは複数の広告が、視聴のために表示される。
【００４７】
また、システムのユーザに1つまたは複数の広告を提供する、グラフィカルユーザインタフェースを含む広告検索モジュールと；広告検索モジュールから1つまたは複数のユーザ選択された広告を受け取り、ユーザに、デジタルメディア、例えばウェブページを介する1つまたは複数のユーザ選択された広告の表示のための複数のカスタマイゼーションオプションを提供し、カスタマイゼーションオプションについての1つまたは複数のユーザ選択を受け取り、かつ、カスタマイゼーションオプションについての1つまたは複数のユーザ選択に従って、デジタルメディアを介して1つまたは複数のユーザ選択された広告を表示する、グラフィカルユーザインタフェースを含む広告管理者モジュールとを含む、システムが提供される。
【００４８】
上記の方法およびシステムは、例えば、本明細書において記載されたとおりのシステム100、200または300を使用して実行され得る。
【００４９】
本明細書において記載された方法およびシステムのデジタルメディアは、ウェブページ、例えば、ユーザのプロフィールページ、ブログページ、企業体のウェブページまたは非営利組織のウェブページを含み得る。いくつかの態様において、ユーザのプロフィールページは、ソーシャルネットワーキングサービスのユーザのプロフィールページ、例えば、ソーシャルネットワーキングサービスのウェブサイトのユーザのプロフィールページである。ひとたびユーザがシステムに登録して、1つまたは複数の広告、ブランドまたはカテゴリを選択したら、スタンドアローンシステムが、他のウェブサイト、例えばモバイルアプリケーションに対する「広告ネットワーク」として働き得、ユーザがこれらのウェブサイトを訪れる、および／またはモバイルアプリを使用すると、システムは、これらのウェブサイトおよび／またはモバイルアプリのシステムと統合して、好みに基づいて広告をユーザに表示し得る。
【００５０】
加えて、ユーザが1つまたは複数の広告、ブランドまたはカテゴリを選択すると、システムは、ニュース、情報、画像、および広告、ブランドまたはカテゴリに関連する他のコンテンツを含む広告を表示し得る。これらの項目は、広告が表示され得る同じ場所および方法で、ウェブサイト、例えばモバイルアプリ上に表示され得る。例えばいくつかの態様において、広告でないコンテンツが、デジタルメディアを介して表示される広告ウィンドウ内に、例えば広告と一緒に、表示され得る。
【００５１】
また、定期的に、該システムは、広告の代わりに質問を差し込み、ユーザの広告、ブランドもしくはカテゴリ選択を再確認するか、または新しいものを選ぶかのいずれかをするようユーザを促し得る。例えば、質問は、「あなたはまだブランドXYZに興味がありますか」（はい／いいえ）の形であり得る。ユーザが「はい」を選択した場合、パネルは、適切な広告で置換される。ユーザが「いいえ」を選択した場合、ユーザは、ユーザの興味のある他の広告、ブランドまたはカテゴリを選択するために、ホームページに導かれ得る。
【００５２】
カスタマイゼーションオプション
上記で論じられたように、本明細書において記載された方法およびシステムは、デジタルメディアを介する1つまたは複数の広告の表示のための1つまたは複数のカスタマイゼーションオプションを選択する工程、ユーザにデジタルメディアを介する1つまたは複数の広告の表示のための複数のカスタマイゼーションオプションを提供する工程、および／またはカスタマイゼーションオプションについての1つまたは複数のユーザ選択を受け取る工程を含み得る。このようなカスタマイゼーションオプションは、広告がデジタルメディア、例えばウェブページを介して表示される広告ウィンドウの選択可能な位置、サイズおよび／または形状を含み得、1つまたは複数の広告のうちの広告は、デジタルメディアを介する1つまたは複数の広告の表示の際、広告ウィンドウの選択された位置、サイズおよび／または形状に適合するように位置付けされる、それに適合するようなサイズにされるおよび／またはそれに適合するような形状にされる。ユーザによって選択され得るおよび／または調節され得る他のカスタマイゼーションオプションは、広告主のロゴおよび／またはブランド名を含むフォトフィルター効果および／または背景を含む。このようなフォトフィルター効果および／または背景は、広告カスタマイゼーションのためのツールとしてユーザによってダウンロードされ得、動画、音声または写真広告に関連して使用され得る。このようなフォトフィルター効果および／または背景はまた、ユーザによってアクティブにされると、ユーザを広告主のウェブサイトまたはウェブページに導く、1つまたは複数のハイパーリンクを含み得る。
【００５３】
他のユーザカスタマイゼーションオプションは、1つまたは複数の広告の動的または静的表示の選択を含む。例えば、動的に表示されるとき、広告は、例えば広告が提供されるウェブページを開くと、表示領域にわたって、例えば右から左へ、左から右へ、上から下へ、または下から上へ能動的にスクロールしながら、表示され得る。
【００５４】
他のユーザカスタマイゼーションオプションは、デジタルメディアを介する、例えばウェブページ上の1つまたは複数の広告の表示の継続期間および／または頻度の調節を含む。例えば、ユーザは、一日、一週間、一か月などの表示期間を選択し得るか、またはそれを選択するオプションを提供され得る。代替的に、または加えて、表示頻度は、カスタマイズされ得る。例えば、ユーザは、ユーザが最初にウェブページにアクセスするときだけまたはウェブページにアクセスするときの一回おきにだけ広告が表示されるような設定を選択し得る。いくつかの態様において、広告主自身が、ウェブページ上での広告の表示の継続期間および／または頻度を設定し得る。例えば、広告主は、その広告主の広告を一日後、一週間後などに期限切れになるように設定し得る。代替的に、または加えて、広告主は、予め設定した表示頻度の終了後に、例えばユーザが表示された広告を一回、二回、三回、四回、五回またはそれを超える回数視聴した後に、期限切れになるように、その広告主の広告を設定し得る。
【００５５】
ユーザカスタマイゼーションオプションはまた、モバイル機器表示構成または非モバイル機器表示構成を選択するオプションを含み得る。モバイル機器表示構成が選択される場合、広告は、モバイル機器、例えばスマートフォン、タブレットなどで視聴するように構成されたおよび／または最適化されたものであり得る。
【００５６】
ユーザ報酬およびバッジ付け
開示された方法およびシステムは、報酬をユーザに提供するため、またはユーザとして報酬を受け取るための工程または機構を含み得る。例えば、このような報酬は、以下の1つまたは複数に基づいて提供されるか、または受け取られ得る：デジタルメディア（例えばウェブページ）が受け取る視聴回数、デジタルメディアが所与の期間内に受け取る視聴回数、デジタルメディアを介して表示される広告が受け取る視聴回数、デジタルメディアを介して表示される広告が所与の期間中に受け取る視聴回数、デジタルメディアを介して表示される広告が受け取るクリックスルー事象数、デジタルメディアを介して表示される広告が所与の期間中に受け取るクリックスルー事象数、デジタルメディアにリンクされているユーザ数、および所与の期間中にデジタルメディアにアクセスするユーザ数。
【００５７】
ユーザに提供されるか、またはユーザによって受け取られる報酬は、金銭的報酬であり得るか、あるいは1つまたは複数の信用、クーポン、割引、昇格、ラッフルまたは特価提供の形態をとり得る。いくつかの態様において、ユーザに提供されるか、またはユーザによって受け取られる報酬は、デジタルの金銭的報酬、例えば、BitCoin（商標）（または他のピアツーピア決済システム）または任意の同様の形態のデジタル通貨であり得る。いくつかの態様において、ユーザは、ユーザの活動に基づいて1つまたは複数の商業者から順位を受け取り得る（例えば、以下で詳細に記載されるとおりの）。開示された方法およびシステムに関連して、ユーザは、上記で論じられたようにして得られた報酬を受け取るか、受け取らないか、または慈善団体に寄付するかを選び得る。
【００５８】
ユーザが、上記で論じられたようにして得られた報酬を慈善団体に寄付するか、または受け取らないことを選んだ場合、ユーザは、本明細書において記載された方法およびシステムを介して、例えば、ウェブページ上、例えばソーシャルネットワーキングウェブサイトのユーザのプロフィールページ上に表示され得る、バッジ、例えば記章、または報酬を慈善団体に寄付したもしくは受け取らないことを選んだ者としてそのユーザを識別する他の識別子を提供され得る。この点について、バッジは、例えば、寄付されたか、または受け取られなかった、得られた報酬の額に基づいて、ユーザが達成した慈善寄付（または受け取らない報酬）の程度またはレベルを表すものであり得る。いくつかの態様において、方法およびシステムは、ユーザによる複数のバッジの収集を提供し得、異なるバッジは、慈善寄付または差し控えた報酬の異なる閾値に割り当てられる。
【００５９】
開示された方法およびシステムのこれらの特徴は、ウェブサイト、例えばソーシャルネットワーキングサイトのユーザが、表示のための広告を選択し、カスタマイズすることを可能にし、かつそれに関連して金銭的報酬および非金銭的な報酬的謝礼をユーザに提供することを可能にする、インタラクティブな広告創作環境を提供する。ユーザを広告選択プロセスおよび広告創作プロセスに能動的に参加させることによって（例えば、ユーザが広告をカスタマイズすることを可能にすることによって）、商業広告の配信の為の改善された方法およびシステムが提供される。
【００６０】
広告推薦
本開示の方法およびシステムは、工程および／またはコンポーネント、例えば広告推薦エンジン（例えば、広告推薦エンジン260および354）および／または広告フィードを含み得、これらは推薦される広告のユーザへの提供またはユーザによる受取を容易にし、次いでこれらの推薦される広告をユーザが視聴し、カスタマイズし、および／または所望の位置に、例えばソーシャルネットワーキングサービスのウェブページ上に表示させるようにし得る。このような推薦は、広告、ブランドもしくはカテゴリのユーザの以前の選択および／またはカスタマイゼーションオプションについてのユーザの以前の選択に基づき得る。例えば、推薦される広告は、ユーザの履歴、例えば、広告の以前の選択および／またはカスタマイゼーションオプションについての以前の選択の全履歴の分析に基づき得る。
【００６１】
推薦される広告はまた、ソーシャルネットワーキングサービスへのユーザの投稿および／またはメディアアップロード（および／またはそこからのダウンロード）の主題または内容に基づいて提供され得る。例えば、推薦される広告は、ソーシャルネットワーキングサービスへのユーザの投稿および／またはメディアアップロード（および／またはそこからのダウンロード）と共通するまたは関連する主題または内容を含む広告を含み得る。このような主題または内容は、例えば、当技術分野において公知の以下の分析方法および／またはユーティリティの1つまたは複数の使用を通して識別され得る：画像認識ソフトウェア、キーワード識別およびマッチング方法および／またはユーティリティ、ならびにメタデータ分析方法および／またはユーティリティ。
【００６２】
ユーザはまた、ユーザが広告推薦を受け取ることを望む1つまたは複数の主題カテゴリ、ブランド、会社または組織を選択し得る。したがって、ユーザは、特定の主題カテゴリの、または特定のブランド、会社もしくは組織からの広告を受け取るために、「フォローする」か、「注目する」か、または「購読する」かを選び得る。このような広告は、本明細書において論じられたとおりの広告推薦エンジンによって、ユーザに提供され得る。代替的に、または加えて、このような広告は、例えば、ソーシャルネットワーキングサービスのウェブページ上、例えばソーシャルネットワーキングサービスのユーザのプロフィールページ上にユーザによる視聴のために表示され得る広告フィード内に提供され得る。広告フィード内に提供される場合、このような広告は、多様なフォーマットで、例えば、静的にまたは動的に表示される広告のサムネイル版として、表示され得る。動的に表示される場合、このようなサムネイルは、例えば広告フィードが提供されているウェブページを開くと、表示領域にわたって、例えば右から左へ、左から右へ、上から下へ、または下から上へ、能動的にスクロールしながら表示され得る。
【００６３】
推薦される広告はまた、ユーザのネットワークのつながりの1つまたは複数、例えばソーシャルネットワーキングサービス上のユーザのネットワーキングつながりの1つまたは複数、例えばソーシャルネットワーキングサービス上のユーザの「同僚」、「連絡先」または「友達」の1つまたは複数によって投稿された1つまたは複数の広告に基づいてユーザに提供され得る。同様に、推薦される広告は、第一のユーザがソーシャルネットワーキングサービスを介して定期的または断続的に最新情報を受け取る1人または複数の第二のユーザ、例えば、ソーシャルネットワーキングサービスを介して第一のユーザによって「フォローされる」または「注目される」1人または複数の第二のユーザによって投稿される、1つまたは複数の広告に基づいて提供され得る。
【００６４】
加えて、または代替的に、推薦される広告は、例えば、テキストおよび／または写真を含み得る、ユーザのネットワークつながりの1つまたは複数、例えば、ソーシャルネットワーキングサービス上のユーザのネットワーキングつながりの1つまたは複数、例えば、ソーシャルネットワーキングサービス上のユーザの「同僚」、「連絡先」または「友達」の1つまたは複数による、1つまたは複数の投稿および／または最新情報の主題または内容に基づいて、ユーザに提供され得る。同様に、推薦される広告は、第一のユーザがソーシャルネットワーキングサービスを介して定期的または断続的に最新情報を受け取る1人または複数の第二のユーザ、例えば、ソーシャルネットワーキングサービスを介して第一のユーザによって「フォローされる」または「注目される」1人または複数の第二のユーザによって作成される、1つまたは複数の投稿および／または最新情報の主題または内容に基づいて提供され得る。上記で論じられたように、このような主題または内容は、例えば、当技術分野において公知の以下の分析方法および／またはユーティリティの1つまたは複数の使用を通して識別され得る：画像認識ソフトウェア、キーワード識別およびマッチング方法および／またはユーティリティ、ならびにメタデータ分析方法および／またはユーティリティ。
【００６５】
代替的に、または加えて、広告は、ユーザの活動に基づいて、あるいはソーシャルネットワーキングサービス、例えば開示されたシステムの1つまたは複数が統合されているソーシャルネットワーキングサイト上のユーザのつながりの1つまたは複数に基づいて、ユーザに推薦され得る。例えば、1つまたは複数の広告は、広告が表示されるウェブページ上に見出される1つまたは複数の写真タグに基づいて、例えば、1つまたは複数の写真タグと同じまたは関連する内容または主題を有する1つまたは複数の広告が、ユーザに推薦され得る。代替的に、または加えて、1つまたは複数の広告はまた、ユーザに推薦され得、このような広告は、ユーザによってアップロードされた、ダウンロードされた、および／または視聴されたメディアに関連付けられている（例えば、該メディアと同じまたは関連する内容または主題を含む）。いくつかの態様において、広告推薦は、上記のとおりの登録プロセスの一部としてユーザによって提供される情報を利用し得る。例えば、広告推薦エンジンまたは広告フィードは、ユーザの性別、年齢または地理的位置に基づいて、その推薦を調節し得る。代替的に、いくつかの態様において、ユーザまたはユーザのつながりの活動は、本明細書において記載されたとおりの1つまたは複数の広告を選択する、カスタマイズする、および／または伝播することにおけるユーザおよび／またはユーザのつながりの活動以外は、考慮されない。例えば、いくつかの態様において、開示された方法は、ユーザのインターネットブラウザー検索履歴の追跡を含まない。
【００６６】
推薦される広告の受取に応じて、ユーザは、推薦される広告を視聴する、承諾する、拒否する、変更する、または共有し得る。ユーザは次に、以前に推薦された広告のユーザの以前の承諾、拒否、変更または共有に少なくとも部分的に基づいて、追加の推薦される広告を受け取り得る。この反復プロセスは継続され、それによってユーザの好みに応じて個人に合わせた広告推薦の提供を可能にし得る。
【００６７】
上記の広告推薦方法および関連システムは、広告に関連して記載されているが、広告でないコンテンツも、本明細書の上記および他の箇所で記載される広告推薦方法およびシステムを介してユーザに提供され得るということが留意されるべきである。例えば、ユーザは、ユーザによって以前に選択されたおよび／またはカスタマイゼーションオプションについてのユーザの以前の選択に関連する、広告、ブランドまたはカテゴリに関連する（例えば、広告、ブランドまたはカテゴリの主題に関連する）、ニュース、情報、画像、および他のコンテンツを提供され得る。
【００６８】
つながり推薦
本明細書において論じられたように、ユーザが、開示された方法およびシステムに関連して広告をブロードキャストするオプションを選択すると、ユーザは広告を、ユーザのつながりの1つまたは複数；例えば、ソーシャルネットワーキングサービス上のユーザのつながりの1つまたは複数、例えば、ソーシャルネットワーキングサービス用のユーザの「友達リスト」上の1つまたは複数の個人または団体；ユーザの電子メール連絡先の1つまたは複数などに送信することを選び得る。このプロセスを容易にするために、開示されたシステムおよび方法は、ユーザによって選択された1つまたは複数の広告のための推薦される受取人をユーザに提供するよう機能する、つながり推薦モジュールを含み得る。推薦モジュールは、多様な要素に基づいて、1つまたは複数の広告のための1人または複数の受取人を潜在的な受取人のプールから推薦し得る。例えば、推薦モジュールは、1つまたは複数の広告の主題および／または内容；ソーシャルネットワーキングサービス上、例えばソーシャルネットワーキングサービスのウェブページ上のユーザの投稿またはメディアアップロードもしくはダウンロードの1つまたは複数の主題および／または内容；ソーシャルネットワーキングサービス上、例えばソーシャルネットワーキングサービスのウェブページ上の潜在的な受取人の投稿またはメディアアップロードもしくはダウンロードの1つまたは複数の主題および／または内容；ならびにそれらの任意の組み合わせに基づいて、1人または複数の受取人を1つまたは複数の広告のために推薦し得る。例えば、推薦モジュールは、1つまたは複数の広告中の類似または共通の主題および／または内容の存在ならびにソーシャルネットワーキングサービス上の潜在的な受取人の投稿またはメディアアップロードもしくはダウンロードに基づいて、1つまたは複数の広告のための1人または複数の受取人を潜在的な受取人のプールから推薦し得る。このような主題および／または内容は、例えば、当技術分野において公知の以下の分析方法および／またはユーティリティの1つまたは複数の使用を通して識別され得る：画像認識ソフトウェア、キーワード識別およびマッチング方法および／またはユーティリティ、ならびにメタデータ分析方法および／またはユーティリティ。
【００６９】
1人または複数の推薦された受取人を識別すると、つながり推薦モジュールは、例えば、1つまたは複数のユーザ選択された広告が1人または複数の推薦された受取人による視聴のために、例えばウェブフィードまたはソーシャルネットワーキングサービスのウェブページ上に、表示されるように、1つまたは複数のユーザ選択された広告を1人または複数の推薦された受取人に自動的に送信し得る。代替的に、または加えて、つながり推薦モジュールは、視聴のために選択された広告を受け取る1人または複数の推薦された受取人を選択するオプションをユーザに提供し得る。
【００７０】
置換広告および広告待ち行列
開示されたシステムおよび方法は、カスタマイゼーションの前にユーザによって選択された広告の記憶および／またはこのような広告の表示を容易にするためのコンポーネントおよび／または工程を含み得る。加えて、または代替的に、開示されたシステムおよび方法は、例えば1つまたは複数のユーザ選択された広告の期限切れの後に自動的に、1つまたは複数のユーザ選択された広告の置換を容易にする、コンポーネントおよび／または工程を含み得る。システム200および300それぞれの広告カート242または広告カート340は、ユーザ選択された広告の記憶に使用され得る。システムおよび方法はまた、ユーザに提供されるか、またはユーザによって受け取られ得る置換広告を含む、広告待ち行列を提供し得る。いくつかの態様において、広告待ち行列は、本明細書に記載されたとおりの広告カートのコンポーネントであり得る。他の態様において、広告待ち行列は、別個のコンポーネントとして提供され得る。置換広告は、例えば、ウェブページ上での表示のために選択された1つまたは複数の広告の所定の期間および／または所定のクリックスルー事象数の後の期限切れの時に、あるいはウェブページ上での表示のために選択された1つまたは複数の広告の除去の時に、ユーザに提供されるか、またはユーザによって受け取られ得る。広告待ち行列はまた、上記のような期限切れの後に、1つまたは複数のユーザ選択された広告を自動的に置換するように機能し得る。ユーザによって、または本開示のシステムおよび方法によって自動的に、広告待ち行列に広告が格納され得る。広告待ち行列が自動的に格納される場合、いかなるユーザ介入もなくそれが行われ得る。代替的に、ユーザは、特定のユーザ選択された基準に基づいて広告待ち行列が自動的に格納されることを選択し得、例えば、ユーザは、広告カテゴリまたはブランドに従って広告待ち行列が自動的に格納されることを選択し得る。ユーザはまた、ユーザが選択した広告が期限切れになったら通知されることを選び、それによってユーザが代替の広告を手動で選択することによって広告を置換することができるようにし得る。
【００７１】
地理的位置
本開示のいくつかの態様において、本明細書において記載された方法およびシステムは、地理的位置コンポーネントを含む。例えば、システム100、システム200、システム300または本明細書において記載されたシステムおよび／もしくは方法の任意のものに関連して、選択に利用可能な広告および／または推薦に利用可能な広告は、商業者、例えば広告主の地理的位置によって制限され得る。同様に、選択に利用可能な広告および／または推薦に利用可能な広告は、ユーザの地理的位置によって制限され得る。したがって、例えば、ユーザがカリフォルニア州サンフランシスコに所在する場合、選択に利用可能な広告および／または推薦に利用可能な広告は、カリフォルニア州サンフランシスコに所在する商業者によって提供される製品および／またはサービスのための広告に制限され得る。いくつかの態様において、選択に利用可能な広告および／または推薦に利用可能な広告は、特定の地理的地域内、例えば市もしくは州内；またはユーザの位置からの特定の距離内、例えばユーザの位置から半径約100マイル以内、ユーザの位置から半径約50マイル以内、ユーザの位置から半径約40マイル以内、ユーザの位置から半径約30マイル以内、ユーザの位置から半径約20マイル以内、ユーザの位置から半径約10マイル以内、ユーザの位置から半径約5マイル以内、またはユーザの位置から半径約1マイル以内に所在する商業者によって提供される、製品および／またはサービスのための広告に制限され得る。
【００７２】
商業者規模
本開示のいくつかの態様において、本明細書において記載された方法およびシステムは、商業者規模コンポーネントを含む。例えば、システム100、システム200、システム300または本明細書において記載されたシステムおよび／もしくは方法の任意のものに関連して、選択に利用可能な広告および／または推薦に利用可能な広告は、製品および／またはサービスが広告中で広告される商業者、例えば広告主の規模によって制限され得る。商業者、例えば広告主の規模は、例えば、商業者の従業員の数、商業者の「ブリック・アンド・モルタル」店舗の数、商業者の年間売上高、および任意の他の適切な基準の1つまたは複数によって決定され得る。例えば、いくつかの態様において、選択に利用可能な広告および／または推薦に利用可能な広告は、小企業として特徴付けられる商業者の商品および／またはサービスのための広告に制限され得る。商業者は、例えば、約1〜約100人の従業員、例えば約1〜約75人の従業員、約1〜約50人の従業員、約1〜約40人の従業員、約1〜約30人の従業員、約1〜約20人の従業員、約1〜約10人の従業員、または約1〜約5人の従業員を有する場合、小企業として特徴付けられ得る。加えて、または代替的に、商業者は、約1〜約50個のブリック・アンド・モルタル店舗、例えば、約1〜約25個のブリック・アンド・モルタル店舗、約1〜約20個のブリック・アンド・モルタル店舗、約1〜約15個のブリック・アンド・モルタル店舗、約1〜約10個のブリック・アンド・モルタル店舗、約1〜約5個のブリック・アンド・モルタル店舗、または1個のブリック・アンド・モルタル店舗を有する場合、小企業として特徴付けられ得る。代替的に、または加えて、商業者は、所在する州および／または市によって小企業識別または小企業登録番号を割り当てられた場合、小企業として特徴付けられ得る。
【００７３】
小企業ポータル
いくつかの態様において、本開示は、商業者、例えば本明細書において記載されたとおりの小企業として特徴付けられ得る商業者が、本明細書において記載された方法およびシステムに従って、ユーザによる選択および／またはユーザへの推薦に利用可能な広告のプールに寄与し得る、システムおよび方法、例えば本明細書において先に記載されたとおりのシステムおよび方法を提供する。いくつかの態様において、商業者は、商業者の製品および／またはサービスに関する1つまたは複数の広告を選択する、および／または推薦されたとおりに受け取る能力を有するであろう特定のユーザまたはユーザ群を選択するオプションを提供される。特定のユーザまたはユーザ群は、多様な基準に基づいて、商業者の製品および／またはサービスに関する1つまたは複数の広告を選択する、および／または推薦されたとおりに受け取る能力を有するとして選択され得る。例えば、いくつかの態様において、商業者は、ユーザの地理的位置、特定のユーザまたはユーザ群が有するソーシャルネットワーキングサービスの他のユーザとのつながりの数、例えば特定のユーザまたはユーザ群がソーシャルネットワーキングサービス上で有する「友達」の数、ユーザのつながりの地理的位置、およびそれらの任意の組み合わせに基づいて、商業者の製品および／またはサービスに関する1つまたは複数の広告を選択する、および／または推薦されたとおりに受け取る能力を有するとして、特定のユーザまたはユーザ群を選択し得る。
【００７４】
いくつかの態様において、商業者は、例えば、ユーザのウェブページ（例えばソーシャルネットワーキングサービス上のユーザのプロフィールページ）が受け取る視聴回数、ユーザのウェブページが所与の期間内に受け取る視聴回数、ユーザのウェブページ上に表示される広告が受け取るクリックスルー事象数、ウェブページ上に表示される広告が所与の期間中に受け取るクリックスルー事象数、ウェブページにリンクされているユーザ数、および／または所与の期間中にウェブページにアクセスするユーザ数に基づいて、商業者の製品および／またはサービスに関する1つまたは複数の広告を選択する、および／または推薦されたとおりに受け取る能力を有するとして特定のユーザまたはユーザ群を選択し得る。
【００７５】
上記基準の1つまたは複数は、特定の商業者に対するユーザまたはユーザ群の関連度順位を割り当てるために使用されるか、または組み合され得る。例えば、商業者と同じ地理的地域に所在し、その商業者のものと同じ一般カテゴリにおける製品またはサービスについて定期的に投稿またはコメントするユーザは、商業者のものと同じ一般カテゴリにおける製品またはサービスについてまれにしか投稿またはコメントしない異なる地理的位置におけるユーザよりも相対的に高い関連度順位を割り当てられ得る。別の例として、両者とも商業者のものと同じ一般カテゴリにおける製品またはサービスについて定期的に投稿またはコメントする第一および第二のユーザの間では、ソーシャルネットワーキングサービス上のネットワークつながりの数がより多いユーザが、相対的に高い関連度順位を与えられ得る。商業者は、どのユーザが、商業者の製品および／またはサービスに関する1つまたは複数の広告を選択する、および／または推薦されたとおりに受け取る能力を有するであろうかを決定するときに、これらの順位を比較検討することができる。
【００７６】
いくつかの態様において、商業者は、商業者の製品および／またはサービスの一般製品タイプまたはサービスカテゴリにおけるユーザまたはユーザ群の明示された興味に基づいて、商業者の製品および／またはサービスに関する1つまたは複数の広告を選択する、および／または推薦されたとおりに受け取る能力を有するとして特定のユーザまたはユーザ群を選択し得る。例えば、商業者は、ソーシャルネットワーキングサービス上、例えばソーシャルネットワーキングサービスのウェブページ上でのユーザのまたはユーザ群の投稿またはメディアアップロードもしくはダウンロードの1つまたは複数の主題および／または内容に基づいて、商業者の製品および／またはサービスに関する1つまたは複数の広告を選択する、および／または推薦されたとおりに受け取る能力を有するとして特定のユーザまたはユーザ群を選択し得る。このような主題または内容は、例えば、当技術分野において公知の以下の分析方法および／またはユーティリティの1つまたは複数の使用を通して識別され得る：画像認識ソフトウェア、キーワード識別およびマッチング方法および／またはユーティリティ、ならびにメタデータ分析方法および／またはユーティリティ。例えば、地元のコーヒー店の所有者は、ユーザがコーヒー店と同じ市に住み、かつユーザのお気に入りのコーヒーおよび／またはコーヒー店について定期的に投稿している場合、コーヒー店に関する1つまたは複数の広告を選択する、および／または推薦されたとおりに受け取る能力を有するとしてその特定のユーザを選択することに興味がある場合がある。
【００７７】
いくつかの態様において、商業者、例えば本明細書に記載されたとおりの小企業として特徴付けられ得る商業者は、商業者に向けられるユーザインタフェースを提供するモバイルアプリケーションまたは「アプリ」を通じて、システムの1つまたは複数にアクセスし得るか、あるいは本明細書において記載された方法の1つまたは複数を利用し得る。このようなアプリは、商業者がその製品および／またはサービスに関する1つまたは複数の広告を創作する、および／またはアップロードすることを可能にする広告デザイン機能および／または広告アップロード機能を、例えば本明細書に記載されたとおりの1つまたは複数のシステムに提供し得る。いくつかの態様において、商業者は、アプリを介して、商業者の製品および／またはサービスに関する1つまたは複数の広告を選択する、および／または推薦されたとおりに受け取る能力を有するとして特定のユーザまたはユーザ群を選択し得る。
【００７８】
このようなアプリはまた、特定の広告または広告群に関する1人または複数のユーザの成果と関連付けられた種々の指標の表示を提供し得る。このような指標は、例えば、広告を表示するユーザのウェブページ（例えばソーシャルネットワーキングサービス上のユーザのプロフィールページ）が受け取る視聴回数、広告を表示するユーザのウェブページが所与の期間内に受け取る視聴回数、ユーザのウェブページ上に表示される広告が受け取るクリックスルー事象数、ウェブページ上に表示される広告が所与の期間中に受け取るクリックスルー事象数、ユーザから広告を受け取るユーザ数、広告を視聴するユーザ数、広告を表示するウェブページにリンクされているユーザ数、および所与の期間中に広告を表示するウェブページにアクセスするユーザ数の、1つまたは複数を含み得る。このような指標は、リアルタイムで；周期的に、例えば一日に一回、一週間に一回など；または任意の他の適切な頻度で、アップデートされ得る。このようにして、商業者は、特定の広告または広告群に関する特定のユーザまたはユーザ群の成果レベルを評価することができる。
【００７９】
このような指標はまた、ユーザに向けられるグラフィカルユーザインタフェースを提供するアプリを使用して、ユーザに対して表示され得る。このようにして、ユーザは、1つまたは複数の広告に関する自分の成果を監視することができる。ユーザはまた、自分が、先の広告に対して良い成果の指標を実証したこと、したがって広告伝播を促進するための良い候補者であろうことを、商業者に対して示すか、または実証するために、このようなアプリを利用し得る。いくつかの態様において、このようなユーザアプリはまた、例えば1つまたは複数の商業者によって見られるように、ユーザ指標のアップロードを提供する。
【００８０】
本開示の開示されたシステムおよび方法は、上記で論じられたとおりの1つまたは複数の広告固有の成果の指標および／または本明細書で論じられるとおりの1つまたは複数の追加基準、例えば、ユーザのウェブページ（例えばソーシャルネットワーキングサービス上のユーザのプロフィールページ）が受け取る視聴回数、ユーザのウェブページが所与の期間内に受け取る視聴回数、ウェブページにリンクしているユーザ数、および／または所与の期間中にウェブページにアクセスするユーザ数に基づいた、ユーザに対する順位の割り当てを含み得る。この順位は、開示されたシステムおよび方法に関連して、ユーザの特定の可能性を活性化する、引き出す、または選択的に可能にするための根拠として、使用され得る。例として、ユーザは、上記基準の1つまたは複数の評価に基づいて、「基本ユーザ」、「中間ユーザ」または「プレミアムユーザ」の順位を割り当てられ得る。したがって、限定ではなく例として、一日当たり約0〜約10回のウェブページ視聴を受け取るユーザは、「基本ユーザ」の順位を割り当てられ得、一日当たり約10〜約100回のウェブページ視聴を受け取るユーザは、「中間ユーザ」の順位を割り当てられ得、一日当たり約100回を超えるウェブページ視聴を受け取るユーザは、「プレミアムユーザ」の順位を割り当てられ得る。これらの順位は、その結果として、ユーザのネットワークつながりの1つまたは複数に対して広告をブロードキャストする能力のようなユーザの特定の可能性を活性化するか、引き出すか、または選択的に可能にし得る。このような順位はまた、特定の可能性のレベルまたは程度を活性化する、引き出す、または選択的に可能にするために利用され得る。したがって、例えば、「基本ユーザ」は、広告をブロードキャストする能力を有し得ず、「中間ユーザ」は、一日当たり約1〜約5個の広告をブロードキャストする能力を有し得、「プレミアムユーザ」は、一日当たり約5〜約10個またはそれ以上の広告をブロードキャストする能力を有し得る。任意の適切な上限が広告をブロードキャストするユーザの能力に設けられ得ることが留意されるべきである。
【００８１】
いくつかの態様において、本開示のシステムおよび方法は、商業者と、商業者の1つまたは複数の広告を受け取る候補者としての1人または複数のユーザとのつながりを提供する。本開示のシステムおよび方法は、加えて、または代替的に、1人または複数のユーザと、1つまたは複数の広告をその1人または複数のユーザに提供する候補商業者としての1つまたは複数の商業者とのつながりを提供し得る。提案されるつながりは、例えば、ユーザおよび商業者の共通の位置または地理的地域、例えばユーザの投稿および／またはメディアアップロード／ダウンロードの主題および／または内容によって明らかなような、商業者の製品および／またはサービスの一般製品タイプまたはサービスカテゴリにおけるユーザにより明示された興味などに基づいて、ユーザおよび／または商業者それぞれに提供され得る。提案されるつながりは、ユーザおよび／または商業者が、例えば任意の適用可能な約定に従って、シングルクリックでつながりを承認することができるように、クリッカブルアイコンフォーマットで提供され得る。
【００８２】
ユーザ、商業者、および促進システムおよび／または方法の提供者の間の金銭的関係は、任意の適切な方法で構築され得る。例えば、商業者は、商業者の1つまたは複数の広告を受け取ることを選択するユーザ数に基づいて、月額（または任意の他の適切な間隔の）定額制料金を促進システムおよび／または方法の提供者に支払い得る。ユーザは、その結果として、例えば、広告をユーザのウェブページ上に表示すること；広告をユーザのネットワークつながりの1つまたは複数に送信するか、またはブロードキャストすること；などによる、1つまたは複数の広告を伝播することに関連して、それらのサービスのこのような料金の何パーセントかを受け取り得る。代替的に、または加えて、ユーザは、例えば、ユーザの活動に起因する増加された売上の何パーセントかを受け取り得る。このような売上は、例えば、例えばユーザのウェブページ上でのクリックスルー事象から生じる、またはユーザのネットワークつながりの1つまたは複数へユーザによって送信される広告またはリンクの結果として生じる購入を識別することによって、識別され得る。
【００８３】
これらのシステムおよび方法は、報酬の点からユーザと、および関心のある顧客に到達する見込みが高い的を絞った局所的な広告の形で商業者の、両方の利益になる可能性を有する、デジタルの「草の根的」広告スキームを容易にする。いくつかの態様において、ユーザは、上記で論じられたようにして得られた報酬を受け取るか、受け取らないか、または慈善団体に寄付するかを選び得る。ユーザが、上記で論じられたようにして得られた報酬を慈善団体に寄付するか、または受け取らないことを選んだ場合、ユーザは、本明細書において記載された方法およびシステムを介して、本明細書に記載されたとおりの1つまたは複数の形態の非金銭的報酬、例えば本明細書に記載されたとおりの1つまたは複数の形態のバッジ付けを提供され得る。
【００８４】
本発明を実施するコンポーネント／当事者間の通信
本発明の種々の当事者およびコンポーネントの間の通信は、デジタル情報が1つの装置から別の装置へ伝達される物理的またはワイヤレスのいずれかで接続された電子装置を含む、ネットワークを通じて達成され得る。このような装置（例えば、エンドユーザ装置および／またはサーバ）は、デスクトップコンピュータ、ラップトップコンピュータ、ハンドヘルド装置もしくはPDA、携帯電話、セットトップボックス、インターネット家電、インターネットTVシステム、モバイル機器もしくはタブレット、またはそれらと同等のシステムを非限定的に含み得る。例示的ネットワークは、ローカルエリアネットワーク、広域ネットワーク、組織のイントラネット、インターネット、またはそれらと同等のネットワークを含む。例示的コンピュータおよびネットワークの機能およびシステムコンポーネントは、図4に関連して以下でさらに説明される。
【００８５】
コンピュータ実装
いくつかの態様において、本開示は、本明細書において記載された機能を実施することができる1つまたは複数のコンピュータシステムに関する。例えば、図4は、上記で提示された方法を実行するために使用されるコンピュータシステム400の概略図である。コンピュータシステム400は、1つまたは複数のプロセッサ、例えばプロセッサ404を含む。プロセッサ404は、通信インフラ406（例えば、通信バス、クロスオーバー・バー、またはネットワーク）に接続されている。コンピュータシステム400は、ディスプレイインタフェース402を含むことができ、ディスプレイインタフェース402は、ローカルまたはリモートディスプレイユニット430上での表示のために、通信インフラ406から（または図示されていないフレームバッファから）グラフィック、テキストおよび他のデータを転送する。
【００８６】
コンピュータシステム400はまた、ランダムアクセスメモリ（RAM）のようなメインメモリ408を含み、また、二次メモリ410も含み得る。二次メモリ410は、例えば、フロッピーディスクドライブ、磁気テープドライブ、光ディスクドライブ、フラッシュメモリ装置などを代表する、ハードディスクドライブ412および／または着脱可能な記憶ドライブ414を含み得る。着脱可能な記憶ドライブ414は、着脱可能な記憶ユニット418から読み出す、および／またはそれに書き込む。着脱可能な記憶ユニット418は、着脱可能な記憶ドライブ414によって読み出されかつ書き込まれる、フロッピーディスク、磁気テープ、光ディスク、フラッシュメモリ装置などを代表するものである。認識されるように、着脱可能な記憶ユニット418は、コンピュータソフトウェア、命令および／またはデータを内部に記憶しているコンピュータ使用可能記憶媒体を含む。
【００８７】
いくつかの態様において、二次メモリ410は、コンピュータプログラムまたは他の命令がコンピュータシステム400にロードされることを可能にするための他の同様の装置を含み得る。このような装置は、例えば、着脱可能な記憶ユニット422およびインタフェース420を含み得る。このようなものの例は、プログラムカートリッジおよびカートリッジインタフェース（例えばテレビゲーム装置に見られるもの）、着脱可能なメモリチップ（例えば消去可能なプログラム可能読取り専用メモリ（EPROM）、またはプログラム可能型読取り専用メモリ（PROM））および関連ソケット、ならびにコンピュータソフトウェア、命令および／またはデータが着脱可能な記憶ユニット422からコンピュータシステム400へ伝送されることを可能にする、他の着脱可能な記憶ユニット422およびインタフェース420を含み得る。
【００８８】
コンピュータシステム400はまた、通信インタフェース424を含み得る。通信インタフェース424は、コンピュータソフトウェア、命令、および／またはデータがコンピュータシステム400と外部装置との間で伝送されることを可能にする。通信インタフェース424の例は、モデム、ネットワークインタフェース（例えばイーサネットカード）、通信ポート、PCメモリカード国際協会（PCMCIA）スロットおよびカードなどを含み得る。通信インタフェース424を介して伝送されるソフトウェアおよびデータは、通信インタフェース424によって受信されることができる、電子、電磁、光または他の信号であり得る、信号428の形態である。これらの信号428は、通信路（例えばチャネル）426を介して、通信インタフェース424に提供される。このチャネル426は、信号428を搬送し、ワイヤまたはケーブル、光ファイバー、電話線、セル方式リンク、高周波（RF）リンク、無線通信リンク、および他の通信チャネルを使用して実現され得る。
【００８９】
本明細書において、「コンピュータ可読記憶媒体」「コンピュータプログラム媒体」および「コンピュータ使用可能媒体」という用語は、着脱可能な記憶ドライブ414、着脱可能な記憶ユニット418、422、通信インタフェース424を介して伝達されるデータ、および／またはハードディスクドライブ412に取り付けられたハードディスクのような媒体を一般に指すために使用される。これらのコンピュータプログラム製品は、コンピュータソフトウェア、命令、および／またはデータをコンピュータシステム400に提供する。これらのコンピュータプログラム製品はまた、汎用コンピュータを、コンピュータプログラム製品／ソフトウェアからの命令に従って特定の機能を実施するようにプログラムされた専用コンピュータに変換するのに役立つ。本発明の態様は、このようなコンピュータプログラム製品に関する。
【００９０】
コンピュータプログラム（コンピュータ制御論理とも呼ばれる）は、メインメモリ408および／または二次メモリ410内に記憶される。コンピュータプログラムはまた、通信インタフェース424を介して受信され得る。このようなコンピュータプログラムは、実行されると、コンピュータシステム400が本明細書において論じられたとおりの本発明の特徴を実施することを可能にする。特に、コンピュータプログラムは、実行されると、プロセッサ404が提示された方法の特徴を実施することを可能にする。したがって、このようなコンピュータプログラムは、コンピュータシステム400のコントローラを代表するものである。適切な場合、プロセッサ404、関連コンポーネント、および同等システムおよびサブシステムはこのように、選択された操作および機能を実施する「ための手段」として働く。このような選択された操作および機能を実施する「ための手段」はまた、汎用コンピュータを、前記選択された操作および機能を実施するようにプログラムされた専用コンピュータに変換するのに役立つ。
【００９１】
本発明がソフトウェアを使用して実行される態様において、ソフトウェアは、コンピュータプログラム製品内に記憶され、着脱可能な記憶ドライブ414、インタフェース420、ハードドライブ412、通信インタフェース424、またはそれらの同等物を使用して、コンピュータシステム400にロードされ得る。制御論理（ソフトウェア）は、プロセッサ404によって実行されると、プロセッサ404に本明細書において記載された機能および方法を実施させる。
【００９２】
別の態様において、方法は主として、例えば特定用途向け集積回路（ASIC）のようなハードウェアコンポーネントを使用して、ハードウェア内で実行される。本明細書において記載された機能および方法を実施するようにそのハードウェア状態の機械を実装することは、関連技術分野における当業者に明らかであろう。さらに別の態様において、方法は、ハードウェアおよびソフトウェアの両方の組み合わせを使用して実行される。
【００９３】
本明細書において記載された任意のシステムおよび方法を含む本発明の態様はまた、1つまたは複数のプロセッサによって読み出されかつ実行され得る、機械可読媒体上に記憶された命令として実現され得る。機械可読媒体は、機械によって可読な形で情報を記憶するか、または伝達するための任意の機構を含み得る（例えば、コンピューティングデバイス）。例えば、機械可読媒体は、読出し専用メモリ（ROM）；ランダムアクセスメモリ（RAM）；磁気ディスク記憶媒体；光記憶媒体；フラッシュメモリ装置；電気、光、音響または他の形態の伝播される信号（例えば、搬送波、赤外線信号、デジタル信号など）、および他のものを含み得る。いくつかの態様において、機械可読媒体は、非一時的な形で提供される。さらに、ファームウェア、ソフトウェア、ルーチンおよび命令は、ある特定の動作を実施するように本明細書において記載され得る。しかしながら、このような記載は単に便宜上のものであり、このような動作は実際に、ファームウェア、ソフトウェア、ルーチン、命令などを実行するコンピューティングデバイス、プロセッサ、コントローラ、または他の装置によって起こることを認識されたい。
【００９４】
1つの態様において、機械可読命令が中に記憶されている機械可読媒体を含む、製造品であって、命令が、ユーザに複数の広告を提供するための命令；デジタルメディアを介する、例えばウェブページ上での表示のためにユーザによって選択された1つまたは複数の広告を識別するための命令；デジタルメディアを介する表示のためにユーザによって選択された1つまたは複数の広告の表示のための複数のカスタマイゼーションオプションをユーザに提供するための命令；カスタマイゼーションオプションについての1つまたは複数のユーザ選択を受け取るための命令；および、カスタマイゼーションオプションについての1つまたは複数のユーザ選択に従って、デジタルメディアを介する表示のためにユーザによって選択された1つまたは複数の広告をデジタルメディアを介して表示するための命令を含む、製造品が提供される。
【００９５】
1つの態様において、コンピュータシステムは単に、「仮想」または「クラウド」コンピュータインスタンス、例えば、Amazon（登録商標）ウェブサービスインフラストラクチャからなり得る。
【００９６】
本開示の例示的非限定的局面
上記の本主題の態様を含む局面は、単独でまたは1つもしくは複数の他の局面もしくは態様との組み合わせで、有益であり得る。上述の説明を限定することなく、1〜182まで番号が付けられた本開示の特定の非限定的局面が、以下に提供される。本開示を読めば当業者には明らかとなるように、個別に番号が付けられた局面の各々は、先行するかまたは後に続く個別に番号が付けられた局面のいずれかと共に使用されるか、またはそれと組み合され得る。これは、このような局面の組み合わせ全ての支持を提供するように意図されており、以下で明示的に提供される局面の組み合わせに限定されない。
【００９７】
1．デジタルメディアを介する表示のための広告のユーザ選択およびカスタマイゼーションのための方法であって、該方法が、
広告のデータベースを検索する工程；
該検索する工程の結果に基づいて、該広告の1つまたは複数を、デジタルメディアを介して表示するために選択する工程；
該デジタルメディアを介する表示のために選択された該1つまたは複数の広告の該表示のためのフォーマットを選択する工程；
該デジタルメディアを介する表示のために選択された該1つまたは複数の広告の表示のための複数のカスタマイゼーションオプションを視聴する工程；
該デジタルメディアを介する表示のために選択された該1つまたは複数の広告の表示のための該カスタマイゼーションオプションの1つまたは複数を選択する工程；および
該1つまたは複数のカスタマイゼーションオプションについての該1つまたは複数の選択に従って、該デジタルメディアを介する表示のために選択された該1つまたは複数の広告を視聴する工程
を含み、該工程の1つまたは複数が1つまたは複数のコンピュータプロセッサを使用して実施される、方法。
2．デジタルメディアがウェブページを含む、1に記載の方法。
3．ウェブページが、ユーザのプロフィールページ、ブログページ、企業体のウェブページおよび非営利組織のウェブページから選択される、2に記載の方法。
4．ウェブページがユーザのプロフィールページであり、該ユーザのプロフィールページがソーシャルネットワーキングウェブサイトのユーザのプロフィールページである、3に記載の方法。
5．デジタルメディアを介して表示される1つまたは複数の広告を1つまたは複数の追加の広告に置換する工程を含む、1〜4のいずれか一つに記載の方法。
6．デジタルメディアを介して表示される1つまたは複数の広告の表示パラメータを調節する工程を含む、1〜5のいずれか一つに記載の方法。
7．表示のための1つまたは複数の広告の選択のために、ドラッグ・ドロップ機能を含むグラフィカルユーザインタフェースを利用する工程を含む、1〜6のいずれか一つに記載の方法。
8．ジャンルによってカテゴリ分けされた1つまたは複数の広告を、デジタルメディアを介する表示のために選択する工程を含む、1〜7のいずれか一つに記載の方法。
9．表示フォーマットが、音声フォーマット、動画フォーマット、画像フォーマット、または前記フォーマットの2つ以上の組み合わせから選択される、1〜8のいずれか一つに記載の方法。
10．デジタルメディアを介する表示のために選択された1つまたは複数の広告の表示のためのカスタマイゼーションオプションの1つまたは複数を選択する工程が、該デジタルメディアを介して表示される広告ウィンドウの選択可能なサイズおよび／または形状を選択する工程を含み、該1つまたは複数の広告のうちの広告が、該デジタルメディアを介する該1つまたは複数の広告の表示の際、該広告ウィンドウの選択されたサイズおよび／または形状に適合するようなサイズにされるおよび／または形状にされる、1〜9のいずれか一つに記載の方法。
11．デジタルメディアを介する表示のために選択された1つまたは複数の広告の表示のためのカスタマイゼーションオプションの1つまたは複数を選択する工程が、広告主のロゴおよび／またはブランド名を含むフォトフィルター効果および／または背景を選択することを含む、1〜10のいずれか一つに記載の方法。
12．フォトフィルター効果および／または背景が、広告主のウェブページに導かれるハイパーリンクを含む、11に記載の方法。
13．デジタルメディアを介する表示のために選択された1つまたは複数の広告の表示のためのカスタマイゼーションオプションの1つまたは複数を選択する工程が、該デジタルメディアを介する該1つまたは複数の広告の表示の継続期間および／または頻度を選択することを含む、1〜12のいずれか一つに記載の方法。
14．デジタルメディアを介する表示のために選択された1つまたは複数の広告の表示のためのカスタマイゼーションオプションの1つまたは複数を選択する工程が、モバイル機器表示構成および非モバイル機器表示構成のいずれかを選択する工程を含む、1〜13のいずれか一つに記載の方法。
15．デジタルメディアがウェブページを含み、かつ方法が以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて報酬を受け取る工程を含む、1〜14のいずれか一つに記載の方法。
16．報酬が金銭的報酬である、15に記載の方法。
17．報酬が、1つまたは複数の信用、クーポン、割引、昇格、ラッフルまたは特価提供の形態である、15に記載の方法。
18．デジタルメディアがウェブページを含み、かつ方法が以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて得られた報酬を受け取るか、該得られた報酬を受け取らないか、または該得られた報酬を慈善団体に寄付するかを選ぶ工程を含む、1〜14のいずれか一つに記載の方法。
19．得られた報酬を慈善団体に寄付することを選択する工程、およびこの選択に基づいてウェブページ上に表示される慈善バッジを受け取る工程を含む、18に記載の方法。
20．報酬を受け取らないことを選択する工程、およびこの選択に基づいてウェブページ上に表示されるバッジを受け取る工程を含む、18に記載の方法。
21．広告のユーザの以前の選択および／またはカスタマイゼーションオプションについてのユーザの以前の選択に基づいて推薦される広告を受け取る工程を含む、1〜20のいずれか一つに記載の方法。
22．推薦される広告が、広告の以前の選択および／またはカスタマイゼーションオプションについての以前の選択のユーザの履歴の分析に基づく、1〜21のいずれか一つに記載の方法。
23．推薦される広告を承諾するか、拒否するか、または変更する工程を含む、21または22に記載の方法。
24．以前に推薦された広告のユーザの以前の承諾、拒否または変更に少なくとも部分的に基づく追加の推薦される広告を受け取る工程を含む、23に記載の方法。
25．デジタルメディアがウェブページを含み、かつ方法が、該ウェブページ上に見出されるか、またはユーザによってアップロードされた、ダウンロードされた、および／もしくは視聴されたメディアに関連付けられている、1つまたは複数の写真タグに基づいて推薦される広告を受け取る工程を含む、1〜24のいずれか一つに記載の方法。
26．デジタルメディアを介する表示のための複数の広告を選択する工程を含み、表示のために選択された該複数の広告のうちの少なくとも1つがユーザによる後のアクセスのために記憶される、1〜25のいずれか一つに記載の方法。
27．複数の置換広告を含む広告待ち行列から、デジタルメディアを介する表示のために選択された1つまたは複数の広告のための1つまたは複数の置換広告を受け取る工程を含む、1〜26のいずれか一つに記載の方法。
28．1つまたは複数の置換広告を受け取る工程が、デジタルメディアを介する表示のために選択された1つもしくは複数の広告のうちの1つもしくは複数の所定の期間および／もしくは所定のクリックスルー事象数の後の期限切れの時、またはデジタルメディアを介する表示のために選択された1つもしくは複数の広告のうちの1つもしくは複数の除去の時に生じる、27に記載の方法。
29．ユーザによって広告待ち行列に広告が格納される、27または28に記載の方法。
30．広告待ち行列が自動的に格納される、27または28に記載の方法。
31．デジタルメディアを介してユーザカスタマイズされた広告を提供するための方法であって、該方法が、
ユーザに複数の広告を提供する工程；
デジタルメディアを介する表示のために該ユーザによって選択された1つまたは複数の広告を識別する工程；
該ユーザに、該デジタルメディアを介する表示のために該ユーザによって選択された該1つまたは複数の広告の表示のための複数のカスタマイゼーションオプションを提供する工程；
該カスタマイゼーションオプションについての1つまたは複数のユーザ選択を受け取る工程；および
該カスタマイゼーションオプションについての該1つまたは複数のユーザ選択に従って、該デジタルメディアを介する表示のために該ユーザによって選択された該1つまたは複数の広告を該デジタルメディアを介して表示する工程
を含み、該工程の1つまたは複数が1つまたは複数のコンピュータプロセッサを使用して実施される、方法。
32．デジタルメディアがウェブページを含む、31に記載の方法。
33．ウェブページが、ユーザのプロフィールページ、ブログページ、企業体のウェブページおよび非営利組織のウェブページから選択される、32に記載の方法。
34．ウェブページがユーザのプロフィールページであり、該ユーザのプロフィールページがソーシャルネットワーキングウェブサイトのユーザのプロフィールページである、33に記載の方法。
35．デジタルメディアを介して表示される1つまたは複数の広告を1つまたは複数の追加の広告に置換するためのオプションをユーザに提供する工程を含む、31〜34のいずれか一つに記載の方法。
36．デジタルメディアを介して表示される1つまたは複数の広告の表示パラメータを調節するためのオプションをユーザに提供する工程を含む、31〜35のいずれか一つに記載の方法。
37．表示のための1つまたは複数の広告の選択のためのドラッグ・ドロップ機能を含むグラフィカルユーザインタフェースをユーザに提供する工程を含む、31〜36のいずれか一つに記載の方法。
38．検索機能を含むグラフィカルユーザインタフェースをユーザに提供する工程を含み、該検索機能は、デジタルメディアを介して表示される1つまたは複数の広告を識別するために、該ユーザが広告のデータベースを検索することを可能にする、31〜37のいずれか一つに記載の方法。
39．グラフィカルユーザインタフェースが、ジャンルによってカテゴリ分けされた1つまたは複数の広告を選択するようユーザを促す、38に記載の方法。
40．デジタルメディアを介する1つまたは複数の広告の表示のための複数のカスタマイゼーションオプションが、該1つまたは複数の広告の1つまたは複数のための表示フォーマットを含み、該表示フォーマットが、音声フォーマット、動画フォーマット、画像フォーマットまたは上記フォーマットの2つ以上の組み合わせから選択される、31〜39のいずれか一つに記載の方法。
41．デジタルメディアを介する1つまたは複数の広告の表示のための複数のカスタマイゼーションオプションが、該デジタルメディアを介して表示される広告ウィンドウの選択可能なサイズおよび／または形状を含み、該1つまたは複数の広告のうちの広告が、該デジタルメディアを介する該1つまたは複数の広告の表示の際、該広告ウィンドウの選択されたサイズおよび／または形状に適合するようなサイズにされるおよび／または形状にされる、31〜40のいずれか一つに記載の方法。
42．デジタルメディアを介する1つまたは複数の広告の表示のための複数のカスタマイゼーションオプションが、広告主のロゴおよび／またはブランド名を含むフォトフィルター効果および／または背景を選択するためのオプションを含む、31〜41のいずれか一つに記載の方法。
43．フォトフィルター効果および／または背景が、広告主のウェブページに導かれるハイパーリンクを含む、42に記載の方法。
44．デジタルメディアを介する1つまたは複数の広告の表示のための複数のカスタマイゼーションオプションが、該デジタルメディアを介する該1つまたは複数の広告の表示の継続期間および／または頻度を含む、31〜43のいずれか一つに記載の方法。
45．デジタルメディアを介する表示のために選択された1つまたは複数の広告の表示のための複数のカスタマイゼーションオプションが、モバイル機器表示構成または非モバイル機器表示構成を選択するためのオプションを含む、31〜44のいずれか一つに記載の方法。
46．デジタルメディアを介して表示される1つまたは複数の広告の1つまたは複数の表示が、所定の期間および／または所定のクリックスルー事象数の後に終了する、31〜45のいずれか一つに記載の方法。
47．所定の期間および／または所定のクリックスルー事象数の後に表示が終了する1つまたは複数の広告を置換するための1つまたは複数の置換広告を選択するようユーザを促す工程を含む、46に記載の方法。
48．所定の期間および／または所定のクリックスルー事象数の後に表示が終了する1つまたは複数の広告を、ユーザ入力なしで、自動的に置換する工程を含む、46に記載の方法。
49．デジタルメディアがウェブページを含み、かつ方法が、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて報酬をユーザに提供する工程を含む、31〜48のいずれか一つに記載の方法。
50．報酬が金銭的報酬である、49に記載の方法。
51．報酬が、1つまたは複数の信用、クーポン、割引、昇格、ラッフルまたは特価提供の形態である、49に記載の方法。
52．デジタルメディアがウェブサイトを含み、かつ方法が、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて得られた報酬を受け取る、該得られた報酬を受け取らない、または該得られた報酬を慈善団体に寄付するというユーザの選択を受け取る工程を含む、31〜48のいずれか一つに記載の方法。
53．得られた報酬を慈善団体に寄付するというユーザの選択に基づいて、ウェブページ上に慈善バッジを表示する工程を含む、52に記載の方法。
54．得られた報酬を受け取らないというユーザの選択に基づいて、ウェブページ上にバッジを表示する工程を含む、52に記載の方法。
55．広告のユーザの以前の選択および／またはカスタマイゼーションオプションについてのユーザの以前の選択に基づいて、推薦される広告を該ユーザに提供する工程を含む、31〜54のいずれか一つに記載の方法。
56．推薦される広告が、広告の以前の選択および／またはカスタマイゼーションオプションについての以前の選択のユーザの履歴の分析に基づく、55に記載の方法。
57．推薦される広告の承諾、拒否または変更をユーザから受け取る工程を含む、55または56に記載の方法。
58．以前に推薦された広告のユーザの以前の承諾、拒否または変更に少なくとも部分的に基づいて、追加の推薦される広告を提供する工程を含む、57に記載の方法。
59．デジタルメディアがウェブページを含み、かつ方法が、該ウェブページ上に見出されるか、またはユーザによってアップロードされた、ダウンロードされた、および／もしくは視聴されたメディアに関連付けられている、1つまたは複数の写真タグに基づいて、推薦される広告を該ユーザに提供する工程を含む、31〜58のいずれか一つに記載の方法。
60．デジタルメディアを介する表示のためにユーザによって選択された複数の広告のうちの少なくとも1つを、該ユーザによる後のアクセスのために記憶する工程を含む、31〜59のいずれか一つに記載の方法。
61．複数の置換広告を含む広告待ち行列から、デジタルメディアを介する表示のために選択された1つまたは複数の広告のための1つまたは複数の置換広告をユーザに提供する工程を含む、31〜60のいずれか一つに記載の方法。
62．1つまたは複数の置換広告をユーザに提供する工程が、デジタルメディアを介する表示のために選択された1つもしくは複数の広告のうちの1つもしくは複数の所定の期間および／もしくは所定のクリックスルー事象数の後の期限切れの時、またはデジタルメディアを介する表示のために選択された1つもしくは複数の広告のうちの1つもしくは複数の除去の時に生じる、61に記載の方法。
63．ユーザによって広告待ち行列に広告が格納される、61または62に記載の方法。
64．広告待ち行列が自動的に格納される、61または62に記載の方法。
65．デジタルメディアを介してユーザカスタマイズされた広告を提供するためのシステムであって、
広告データベースと；
デジタルメディアを表示するユーザ装置と；
1つまたは複数のコンピュータプロセッサと；
ユーザによる、該広告データベースからの、該デジタルメディアを介して表示される1つまたは複数の広告の選択を提供し、かつ
該デジタルメディアを介する該1つまたは複数の広告の表示のための複数のカスタマイゼーションオプションを該ユーザに提供する
グラフィカルユーザインタフェースと
を含み、
該1つまたは複数のプロセッサのうちの1つまたは複数が、該カスタマイゼーションオプションについての1つまたは複数のユーザ選択を受け取り、該カスタマイゼーションオプションについての該1つまたは複数のユーザ選択に従って、該デジタルメディアを介する表示のために該ユーザによって選択された該1つまたは複数の広告を該デジタルメディアを介して表示する、
システム。
66．デジタルメディアがウェブページを含む、65に記載のシステム。
67．ウェブページが、ユーザのプロフィールページ、ブログページ、企業体のウェブページおよび非営利組織のウェブページから選択される、66に記載のシステム。
68．ウェブページがユーザのプロフィールページであり、該ユーザのプロフィールページがソーシャルネットワーキングウェブサイトのユーザのプロフィールページである、67に記載のシステム。
69．グラフィカルユーザインタフェースが、デジタルメディアを介して表示される広告の1つまたは複数を1つまたは複数の追加の広告に置換するためのオプションをユーザに提供する、65〜68のいずれか一つに記載のシステム。
70．グラフィカルユーザインタフェースが、デジタルメディアを介して表示される1つまたは複数の広告の表示パラメータを調節するためのオプションをユーザに提供する、65〜69のいずれか一つに記載のシステム。
71．グラフィカルユーザインタフェースが、表示のための1つまたは複数の広告の選択のためのドラッグ・ドロップ機能を含む、65〜70のいずれか一つに記載のシステム。
72．グラフィカルユーザインタフェースが検索機能を含み、該検索機能が、デジタルメディアを介して表示される1つまたは複数の広告を識別するために、該ユーザが広告データベースを検索することを可能にする、65〜71のいずれか一つに記載のシステム。
73．グラフィカルユーザインタフェースが、ジャンルによってカテゴリ分けされた1つまたは複数の広告を選択するようユーザを促す、72に記載のシステム。
74．デジタルメディアを介する1つまたは複数の広告の表示のための複数のカスタマイゼーションオプションが、該1つまたは複数の広告の1つまたは複数のための表示フォーマットを含み、該表示フォーマットが、音声フォーマット、動画フォーマット、画像フォーマットまたは上記フォーマットの2つ以上の組み合わせから選択される、65〜73のいずれか一つに記載のシステム。
75．デジタルメディアを介する1つまたは複数の広告の表示のための複数のカスタマイゼーションオプションが、該デジタルメディアを介して表示される広告ウィンドウの選択可能なサイズおよび／または形状を含み、該1つまたは複数の広告のうちの広告が、該デジタルメディアを介する該1つまたは複数の広告の表示の際、該広告ウィンドウの選択されたサイズおよび／または形状に適合するようなサイズにされるおよび／または形状にされる、65〜74のいずれか一つに記載のシステム。
76．デジタルメディアを介する1つまたは複数の広告の表示のための複数のカスタマイゼーションオプションが、広告主のロゴおよび／またはブランド名を含むフォトフィルター効果および／または背景を選択するためのオプションを含む、65〜75のいずれか一つに記載のシステム。
77．フォトフィルター効果および／または背景が、広告主のウェブページに導かれるハイパーリンクを含む、76に記載のシステム。
78．デジタルメディアを介する1つまたは複数の広告の表示のための複数のカスタマイゼーションオプションが、該デジタルメディアを介する該1つまたは複数の広告の表示の継続期間および／または頻度を含む、65〜77のいずれか一つに記載のシステム。
79．デジタルメディアを介する表示のために選択された1つまたは複数の広告の表示のための複数のカスタマイゼーションオプションが、モバイル機器表示構成または非モバイル機器表示構成を選択するためのオプションを含む、65〜78のいずれか一つに記載のシステム。
80．デジタルメディアを介して表示される1つまたは複数の広告の1つまたは複数の表示が、所定の期間および／または所定のクリックスルー事象数の後に終了する、65〜79のいずれか一つに記載のシステム。
81．グラフィカルユーザインタフェースが、所定の期間および／または所定のクリックスルー事象数の後に表示が終了する1つまたは複数の広告を置換するための1つまたは複数の置換広告を選択するようユーザを促す、80に記載のシステム。
82．1つまたは複数のコンピュータプロセッサが、所定の期間および／または所定のクリックスルー事象数の後に表示が終了する1つまたは複数の広告を、ユーザ入力なしで、自動的に置換する、80に記載のシステム。
83．デジタルメディアがウェブページを含み、かつ1つまたは複数のプロセッサのうちの1つまたは複数が、以下：
該ウェブページが受け取る視聴回数、該ウェブページが所与の期間内に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数を、それに基づいて報酬をユーザに提供するために監視する、65〜82のいずれか一つに記載のシステム。
84．報酬が金銭的報酬である、83に記載のシステム。
85．報酬が、1つまたは複数の信用、クーポン、割引、昇格、ラッフルまたは特価提供の形態である、83に記載のシステム。
86．デジタルメディアがウェブページを含み、かつ1つまたは複数のプロセッサのうちの1つまたは複数が、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて得られた報酬を受け取る、該得られた報酬を受け取らない、または該得られた報酬を慈善団体に寄付するというユーザの選択を受け取る、65〜82のいずれか一つに記載のシステム。
87．1つまたは複数のプロセッサのうちの1つまたは複数が、得られた報酬を慈善団体に寄付するというユーザの選択に基づいて、ウェブページ上に慈善バッジを表示する、86に記載のシステム。
88．1つまたは複数のプロセッサのうちの1つまたは複数が、得られた報酬を受け取らないというユーザの選択に基づいて、ウェブページ上にバッジを表示する、86に記載のシステム。
89．1つまたは複数のプロセッサのうちの1つまたは複数が、広告のユーザの以前の選択および／またはカスタマイゼーションオプションについてのユーザの以前の選択に基づいて、グラフィカルユーザインタフェースを介して、推薦される広告を該ユーザに提供する、65〜88のいずれか一つに記載のシステム。
90．推薦される広告が、広告の以前の選択および／またはカスタマイゼーションオプションについての以前の選択のユーザの履歴の分析に基づく、89に記載のシステム。
91．1つまたは複数のプロセッサのうちの1つまたは複数が、推薦される広告の承諾、拒否または変更をユーザから受け取る、89または90に記載のシステム。
92．1つまたは複数のプロセッサのうちの1つまたは複数が、以前に推薦された広告のユーザの以前の承諾、拒否または変更に少なくとも部分的に基づいて、追加の推薦される広告を提供する、91に記載のシステム。
93．デジタルメディアがウェブページを含み、かつ1つまたは複数のプロセッサのうちの1つまたは複数が、該ウェブページ上に見出されるか、またはユーザによってアップロードされた、ダウンロードされた、および／もしくは視聴されたメディアに関連付けられている、1つまたは複数の写真タグに基づいて、グラフィカルユーザインタフェースを介して、推薦される広告を該ユーザに提供する、65〜92のいずれか一つに記載のシステム。
94．デジタルメディアを介する表示のためにユーザによって選択された複数の広告のうちの少なくとも1つを、該ユーザによる後のアクセスのために記憶するメモリを含む、65〜93のいずれか一つに記載のシステム。
95．1つまたは複数のプロセッサのうちの1つまたは複数が、複数の置換広告を含む広告待ち行列から、デジタルメディアを介する表示のために選択された1つまたは複数の広告のための1つまたは複数の置換広告をユーザに提供する、65〜94のいずれか一つに記載のシステム。
96．1つまたは複数のプロセッサのうちの1つまたは複数が、デジタルメディアを介する表示のために選択された1つもしくは複数の広告のうちの1つもしくは複数の所定の期間および／もしくは所定のクリックスルー事象数の後の期限切れの時、またはデジタルメディアを介する表示のために選択された1つもしくは複数の広告のうちの1つもしくは複数の除去の時に、1つまたは複数の置換広告をユーザに提供する、95に記載のシステム。
97．グラフィカルユーザインタフェースを介して、ユーザによって広告待ち行列に広告が格納される、95または96に記載のシステム。
98．1つまたは複数のプロセッサのうちの1つまたは複数によって、広告待ち行列が自動的に格納される、95または96に記載のシステム。
99．  システムのユーザに1つまたは複数の広告を提供する、グラフィカルユーザインタフェースを含む広告検索モジュールと；
該広告検索モジュールから1つまたは複数のユーザ選択された広告を受け取り、
該ユーザに、デジタルメディアを介する該1つまたは複数のユーザ選択された広告の表示のための複数のカスタマイゼーションオプションを提供し、
該カスタマイゼーションオプションについての1つまたは複数のユーザ選択を受け取り、かつ
該カスタマイゼーションオプションについての該1つまたは複数のユーザ選択に従って、該デジタルメディアを介して、該1つまたは複数のユーザ選択された広告を表示する、
グラフィカルユーザインタフェースを含む広告管理者モジュールと
を含む、システム。
100．デジタルメディアがウェブページを含む、99に記載のシステム。
101．ウェブページが、ユーザのプロフィールページ、ブログページ、企業体のウェブページおよび非営利組織のウェブページから選択される、100に記載のシステム。
102．ウェブページがユーザのプロフィールページであり、該ユーザのプロフィールページがソーシャルネットワーキングウェブサイトのユーザのプロフィールページである、101に記載のシステム。
103．広告管理者モジュールが、デジタルメディアを介して表示される1つまたは複数のユーザ選択された広告を1つまたは複数の追加のユーザ選択された広告に置換するためのオプションをユーザに提供する、99〜102のいずれか一つに記載のシステム。
104．広告管理者モジュールが、デジタルメディアを介して表示される1つまたは複数のユーザ選択された広告の表示パラメータを調節するためのオプションをユーザに提供する、99〜102のいずれか一つに記載のシステム。
105．広告検索モジュールが、選択された検索基準を満たす1つまたは複数の広告を識別するために、ユーザが広告のデータベースを検索することを可能にする検索特徴を提供する、99〜104のいずれか一つに記載のシステム。
106．広告検索モジュールが、検索特徴を使用して検索を実行するユーザに応答して、1つまたは複数の広告をシステムの該ユーザに提供する、105に記載のシステム。
107．広告検索モジュールが、検索特徴を使用して検索を実行するユーザに応答して、1つまたは複数の広告をタイル表示フォーマットでシステムの該ユーザに提供する、106に記載のシステム。
108．広告検索モジュールが、広告管理者モジュールを使用する視聴および／または変更のために1つまたは複数の広告のうちの1つまたは複数をユーザが選択することを可能にするドラッグ・ドロップ機能を含む、106または107に記載のシステム。
109．広告検索モジュールが、広告のジャンルを選択するようユーザを促す、99〜108のいずれか一つに記載のシステム。
110．広告検索モジュールが、広告のアルファベット順の名鑑をユーザに提供する、99〜109のいずれか一つに記載のシステム。
111．広告検索モジュールが、1つまたは複数の広告のための表示フォーマットを選択するようユーザを促し、該表示フォーマットが、音声フォーマット、動画フォーマット、画像フォーマットまたは上記フォーマットの2つ以上の組み合わせから選択される、99〜110のいずれか一つに記載のシステム。
112．広告管理者モジュールが、デジタルメディアを介して1つまたは複数の広告を表示する前に、カスタマイゼーションオプションについての1つまたは複数のユーザ選択に従って、プレビューページ上に1つまたは複数のユーザ選択された広告を表示する、99〜111のいずれか一つに記載のシステム。
113．デジタルメディアを介する1つまたは複数のユーザ選択された広告の表示のための複数のカスタマイゼーションオプションが、該デジタルメディアを介して表示される広告ウィンドウの選択可能なサイズおよび／または形状を含み、該1つまたは複数のユーザ選択された広告のうちのユーザ選択された広告が、該デジタルメディアを介する該1つまたは複数のユーザ選択された広告の表示の際、該広告ウィンドウの選択されたサイズおよび／または形状に適合するようなサイズにされるおよび／または形状にされる、99〜112のいずれか一つに記載のシステム。
114．デジタルメディアを介する1つまたは複数のユーザ選択された広告の表示のための複数のカスタマイゼーションオプションが、広告主のロゴおよび／またはブランド名を含むフォトフィルター効果および／または背景を選択するためのオプションを含む、99〜113のいずれか一つに記載のシステム。
115．フォトフィルター効果および／または背景が、広告主のウェブページに導かれるハイパーリンクを含む、114に記載のシステム。
116．広告管理者モジュールが、1つまたは複数のユーザ選択された広告を1つまたは複数の追加のユーザと共有するためのオプションをユーザに提供する、99〜115のいずれか一つに記載のシステム。
117．ユーザ選択可能な広告のユーザの以前の選択および／またはカスタマイゼーションオプションについてのユーザの以前の選択に基づいて、推薦される広告を該ユーザに提供する、広告推薦エンジンを含む、99〜116のいずれか一つに記載のシステム。
118．推薦される広告が、ユーザ選択可能な広告の以前の選択および／またはカスタマイゼーションオプションについてのユーザの以前の選択のユーザの履歴の分析に基づく、117に記載のシステム。
119．広告推薦エンジンが、推薦される広告の承諾、拒否または変更をユーザから受け取る、117または118に記載のシステム。
120．広告推薦エンジンが、以前に推薦された広告のユーザの以前の承諾、拒否または変更に少なくとも部分的に基づいて、追加の推薦される広告を提供する、119に記載のシステム。
121．デジタルメディアがウェブページを含み、かつシステムが、該ウェブページ上に見出されるか、またはユーザによってアップロードされた、ダウンロードされた、および／もしくは視聴されたメディアに関連付けられている、1つまたは複数の写真タグに基づいて、推薦される広告を該ユーザに提供する、広告推薦エンジンを含む、99〜120のいずれか一つに記載のシステム。
122．デジタルメディアを介する1つまたは複数のユーザ選択された広告の表示のための複数のカスタマイゼーションオプションが、該デジタルメディアを介する該1つまたは複数のユーザ選択された広告の表示の継続期間および／または頻度を含む、99〜121のいずれか一つに記載のシステム。
123．デジタルメディアを介する1つまたは複数のユーザ選択された広告の表示のための複数のカスタマイゼーションオプションが、モバイル機器表示構成または非モバイル機器表示構成を選択するためのオプションを含む、99〜122のいずれか一つに記載のシステム。
124．デジタルメディアを介して表示される1つまたは複数のユーザ選択された広告の1つまたは複数の表示が、所定の期間および／または所定のクリックスルー事象数の後に終了する、99〜123のいずれか一つに記載のシステム。
125．広告検索モジュールおよび／または広告管理者モジュールが、所定の期間および／または所定のクリックスルー事象数の後に表示が終了する1つまたは複数の広告を置換するための1つまたは複数の置換広告を選択するようユーザを促す、124に記載のシステム。
126．広告検索モジュールおよび／または広告管理者モジュールが、所定の期間および／または所定のクリックスルー事象数の後に表示が終了する1つまたは複数の広告を、ユーザ入力なしで、自動的に置換する、124に記載のシステム。
127．デジタルメディアがウェブページを含み、かつシステムが、以下：
該ウェブページが受け取る視聴回数、該ウェブページが所与の期間内に受け取る視聴回数、該ウェブページを介して表示されるユーザ選択された広告が受け取るクリックスルー事象数、該ウェブページを介して表示されるユーザ選択された広告が所与の期間中に受け取るクリックスルー事象数、該ウェブページにリンクされているユーザ数、および所与の期間中に該ウェブページにアクセスするユーザ数
の1つまたは複数を、それに基づいて報酬をユーザに提供するために監視する、1つまたは複数のプロセッサ含む、99〜126のいずれか一つに記載のシステム。
128．報酬が金銭的報酬である、127に記載のシステム。
129．報酬が、1つまたは複数の信用、クーポン、割引、昇格、ラッフルまたは特価提供の形態である、127に記載のシステム。
130．デジタルメディアがウェブページを含み、かつ広告管理者モジュールが、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて得られた報酬を受け取る、該得られた報酬を受け取らない、または該得られた報酬を慈善団体に寄付するというユーザの選択を受け取る、99〜126のいずれか一つに記載のシステム。
131．広告管理者モジュールが、得られた報酬を慈善団体に寄付するというユーザの選択に基づいて、ウェブページ上に慈善バッジを表示する、130に記載のシステム。
132．広告管理者モジュールが、得られた報酬を受け取らないというユーザの選択に基づいて、ウェブページ上にバッジを表示する、130に記載のシステム。
133．広告検索モジュールおよび／または広告管理者モジュールが、デジタルメディアを介する表示のためにユーザによって選択された複数の広告のうちの少なくとも1つを、該ユーザによる後のアクセスのために記憶するメモリを含む、99〜132のいずれか一つに記載のシステム。
134．広告検索モジュールおよび／または広告管理者モジュールが、複数の置換広告を含む広告待ち行列から、1つまたは複数のユーザ選択された広告の1つまたは複数のための1つまたは複数の置換広告をユーザに提供する、99〜133のいずれか一つに記載のシステム。
135．広告検索モジュールおよび／または広告管理者モジュールが、1つまたは複数のユーザ選択された広告のうちの1つまたは複数の所定の期間および／または所定のクリックスルー事象数の後の期限切れの時、あるいは1つまたは複数のユーザ選択された広告のうちの1つまたは複数の除去の時に、ユーザに1つまたは複数の置換広告を提供する、134に記載のシステム。
136．広告検索モジュールおよび／または広告管理者モジュールを介して、ユーザによって広告待ち行列に広告が格納される、134または135に記載のシステム。
137．広告検索モジュールおよび／または広告管理者モジュールによって、広告待ち行列が自動的に格納される、134または135に記載のシステム。
138．  機械可読命令が中に記憶されている機械可読媒体を含む、製造品であって、
該命令が、
ユーザに複数の広告を提供するための命令；
デジタルメディアを介する表示のために該ユーザによって選択された1つまたは複数の広告を識別するための命令；
該デジタルメディアを介する表示のために該ユーザによって選択された該1つまたは複数の広告の表示のための複数のカスタマイゼーションオプションを該ユーザに提供するための命令；
該カスタマイゼーションオプションについての1つまたは複数のユーザ選択を受け取るための命令；および
該カスタマイゼーションオプションについての該1つまたは複数のユーザ選択に従って、該デジタルメディアを介する表示のために該ユーザによって選択された該1つまたは複数の広告を該デジタルメディアを介して表示するための命令
を含む、製造品。
139．デジタルメディアがウェブページを含む、138に記載の製造品。
140．ウェブページが、ユーザのプロフィールページ、ブログページ、企業体のウェブページおよび非営利組織のウェブページから選択される、139に記載の製造品。
141．ウェブページがユーザのプロフィールページであり、該ユーザのプロフィールページがソーシャルネットワーキングウェブサイトのユーザのプロフィールページである、140に記載の製造品。
142．機械可読命令が、デジタルメディアを介して表示される1つまたは複数の広告を1つまたは複数の追加の広告に置換するためのオプションをユーザに提供するための命令を含む、138〜141のいずれか一つに記載の製造品。
143．機械可読命令が、デジタルメディアを介して表示される1つまたは複数の広告の表示パラメータを調節するためのオプションをユーザに提供するための命令を含む、138〜142のいずれか一つに記載の製造品。
144．機械可読命令が、表示のための1つまたは複数の広告の選択のためのドラッグ・ドロップ機能を含むグラフィカルユーザインタフェースをユーザに提供するための命令を含む、138〜143のいずれか一つに記載の製造品。
145．機械可読命令が、検索機能を含むグラフィカルユーザインタフェースをユーザに提供するための命令を含み、該検索機能が、デジタルメディアを介して表示される1つまたは複数の広告を識別するために、該ユーザが広告のデータベースを検索することを可能にする、138〜144のいずれか一つに記載の製造品。
146．グラフィカルユーザインタフェースが、ジャンルによってカテゴリ分けされた1つまたは複数の広告を選択するようユーザを促す、145に記載の製造品。
147．デジタルメディアを介する1つまたは複数の広告の表示のための複数のカスタマイゼーションオプションが、該1つまたは複数の広告の1つまたは複数のための表示フォーマットを含み、該表示フォーマットが、音声フォーマット、動画フォーマット、画像フォーマットまたは該フォーマットの2つ以上の組み合わせから選択される、138〜146のいずれか一つに記載の製造品。
148．デジタルメディアを介する1つまたは複数の広告の表示のための複数のカスタマイゼーションオプションが、該デジタルメディアを介して表示される広告ウィンドウの選択可能なサイズおよび／または形状を含み、該1つまたは複数の広告のうちの広告が、該デジタルメディアを介する該1つまたは複数の広告の表示の際、該広告ウィンドウの選択されたサイズおよび／または形状に適合するようなサイズにされるおよび／または形状にされる、138〜147のいずれか一つに記載の製造品。
149．デジタルメディアを介する1つまたは複数の広告の表示のための複数のカスタマイゼーションオプションが、広告主のロゴおよび／またはブランド名を含むフォトフィルター効果および／または背景を選択するためのオプションを含む、138〜149のいずれか一つに記載の製造品。
150．フォトフィルター効果および／または背景が、広告主のウェブページに導かれるハイパーリンクを含む、149に記載の製造品。
151．デジタルメディアを介する1つまたは複数の広告の表示のための複数のカスタマイゼーションオプションが、該デジタルメディアを介する該1つまたは複数の広告の表示の継続期間および／または頻度を含む、138〜150のいずれか一つに記載の製造品。
152．デジタルメディアを介する表示のために選択された1つまたは複数の広告の表示のための複数のカスタマイゼーションオプションが、モバイル機器表示構成または非モバイル機器表示構成を選択するためのオプションを含む、138〜151のいずれか一つに記載の製造品。
153．デジタルメディアを介して表示される1つまたは複数の広告の1つまたは複数の表示が、所定の期間および／または所定のクリックスルー事象数の後に終了する、138〜152のいずれか一つに記載の製造品。
154．機械可読命令が、所定の期間および／または所定のクリックスルー事象数の後に表示が終了する1つまたは複数の広告を置換するための1つまたは複数の置換広告を選択するようユーザを促すための命令を含む、153に記載の製造品。
155．機械可読命令が、所定の期間および／または所定のクリックスルー事象数の後に表示が終了する1つまたは複数の広告を、ユーザ入力なしで、自動的に置換するための命令を含む、153に記載の製造品。
156．デジタルメディアがウェブページを含み、かつ製造品が、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて報酬をユーザに提供するための命令を含む、138〜155のいずれか一つに記載の製造品。
157．報酬が金銭的報酬である、156に記載の製造品。
158．報酬が、1つまたは複数の信用、クーポン、割引、昇格、ラッフルまたは特価提供の形態である、156に記載の製造品。
159．デジタルメディアがウェブページを含み、かつ製造品が、以下：
該ウェブページが受け取る視聴回数、該ウェブページが所与の期間内に受け取る視聴回数、該ウェブページを介して表示される広告が受け取る視聴回数、該ウェブページを介して表示される広告が所与の期間中に受け取る視聴回数、該ウェブページを介して表示される広告が受け取るクリックスルー事象数、該ウェブページを介して表示される広告が所与の期間中に受け取るクリックスルー事象数、該ウェブページにリンクされているユーザ数、および所与の期間中に該ウェブページにアクセスするユーザ数
の1つまたは複数に基づいて得られた報酬を受け取る、該得られた報酬を受け取らない、または該得られた報酬を慈善団体に寄付するというユーザの選択を受け取るための命令を含む、138〜155のいずれか一つに記載の製造品。
160．機械可読命令が、得られた報酬を慈善団体に寄付するというユーザの選択に基づいて、ウェブページ上に慈善バッジを表示するための命令を含む、159に記載の製造品。
161．機械可読命令が、得られた報酬を受け取らないというユーザの選択に基づいて、ウェブページ上にバッジを表示するための命令を含む、159に記載の製造品。
162．機械可読命令が、広告のユーザの以前の選択および／またはカスタマイゼーションオプションについてのユーザの以前の選択に基づいて、推薦される広告を該ユーザに提供するための命令を含む、138〜161のいずれか一つに記載の製造品。
163．推薦される広告が、広告の以前の選択および／またはカスタマイゼーションオプションについての以前の選択のユーザの履歴の分析に基づく、162に記載の製造品。
164．機械可読命令が、推薦される広告の承諾、拒否または変更をユーザから受け取るための命令を含む、162または163に記載の製造品。
165．機械可読命令が、以前に推薦された広告のユーザの以前の承諾、拒否または変更に少なくとも部分的に基づいて、追加の推薦される広告を提供するための命令を含む、164に記載の製造品。
166．デジタルメディアがウェブページを含み、かつ製造品が、該ウェブページ上に見出されるか、またはユーザによってアップロードされた、ダウンロードされた、および／もしくは視聴されたメディアに関連付けられている、1つまたは複数の写真タグに基づいて、推薦される広告を該ユーザに提供するための命令を含む、138〜165のいずれか一つに記載の製造品。
167．機械可読命令が、デジタルメディアを介する表示のためにユーザによって選択された複数の広告のうちの少なくとも1つを、該ユーザによる後のアクセスのために記憶するための命令を含む、138〜166のいずれか一つに記載の製造品。
168．機械可読命令が、複数の置換広告を含む広告待ち行列から、デジタルメディアを介する表示のために選択された1つまたは複数の広告のための1つまたは複数の置換広告をユーザに提供するための命令を含む、138〜167のいずれか一つに記載の製造品。
169．1つまたは複数の置換広告をユーザに提供する工程が、デジタルメディアを介する表示のために選択された1つもしくは複数の広告のうちの1つもしくは複数の所定の期間および／もしくは所定のクリックスルー事象数の後の期限切れの時、またはデジタルメディアを介する表示のために選択された1つもしくは複数の広告のうちの1つもしくは複数の除去の時に生じる、168に記載の製造品。
170．ユーザによって広告待ち行列に広告が格納される、168または169に記載の製造品。
171．広告待ち行列が自動的に格納される、168または169に記載の製造品。
172．  ソーシャルネットワーキングサービスを介する1つまたは複数の第一の広告の表示または配信に関して、該ソーシャルネットワーキングサービスのユーザの成果レベルを特徴付ける1つまたは複数の第一の指標を、グラフィカルユーザインタフェースでの表示のために、受け取る工程；
該1つまたは複数の第一の広告の表示または配信に関して、該ユーザが特定の成果レベルを満たしたと決定された場合に、該ソーシャルネットワーキングサービスを介して該ユーザによってアクセス可能なデータベースに1つまたは複数の第二の広告を提供する工程；および
該ソーシャルネットワーキングサービスを介する該1つまたは複数の第二の広告の表示または配信に関する該ユーザの成果を特徴付ける1つまたは複数の第二の指標を定期的に監視する工程
を含む、方法。
173．1つまたは複数の第一の指標が、以下：
第一の広告を表示するソーシャルネットワーキングサービス上のユーザウェブページが受け取る視聴回数、該ユーザウェブページが所与の期間内に受け取る視聴回数、該ユーザウェブページ上に表示される該第一の広告が受け取るクリックスルー事象数、該ユーザウェブページ上に表示される該第一の広告が所与の期間中に受け取るクリックスルー事象数、該ユーザから該第一の広告を受け取るユーザ数、および該ユーザから受け取られた該第一の広告を視聴するユーザ数
から選択される、172に記載の方法。
174．1つまたは複数の第二の指標が、以下：
第二の広告を表示するソーシャルネットワーキングサービス上のユーザウェブページが受け取る視聴回数、該ユーザウェブページが所与の期間内に受け取る視聴回数、該ユーザウェブページ上に表示される該第二の広告が受け取るクリックスルー事象数、該ユーザウェブページ上に表示される該第二の広告が所与の期間中に受け取るクリックスルー事象数、該ユーザから該第二の広告を受け取るユーザ数、および該ユーザから受け取られた該第二の広告を視聴するユーザ数
から選択される、172または173に記載の方法。
175．  ソーシャルネットワーキングサービスを介する1つまたは複数の商業広告の提案される表示または配信に関して、該ソーシャルネットワーキングサービスの複数のユーザの各々の関連性を特徴付ける関連度順位を、グラフィカルユーザインタフェースでの表示のために、受け取る工程；
該関連度順位に基づいて、該複数のユーザから1人または複数のユーザを選択する工程；
1つまたは複数の広告を、該ソーシャルネットワーキングサービスを介して該選択されたユーザによってアクセス可能なデータベースに提供し、それにより該ユーザが該ソーシャルネットワーキングサービスを介する表示または配信のための該1つまたは複数の広告を選択することができる工程；および
該ソーシャルネットワーキングサービスを介する該1つまたは複数の広告の表示または配信に関する該ユーザの成果を特徴付ける指標を定期的に監視する工程
を含む、方法。
176．関連度順位が、ユーザおよび商業者の地理的位置に少なくとも部分的に基づく、175に記載の方法。
177．関連度順位が、ソーシャルネットワーキングサービス上のユーザウェブページが受け取る視聴回数、該ユーザウェブページが所与の期間内に受け取る視聴回数、および該ユーザウェブページにリンクされているユーザ数に少なくとも部分的に基づく、175または176に記載の方法。
178．関連度順位が、ソーシャルネットワーキングサービス上のユーザの投稿の1つまたは複数の内容に少なくとも部分的に基づく、175〜177に記載の方法。
179．  ソーシャルネットワーキングサービスを介する1つまたは複数の第一の広告の表示または配信に関して、該ソーシャルネットワーキングサービスのユーザの成果レベルを特徴付ける1つまたは複数の指標を、グラフィカルユーザインタフェースでの表示のために、受け取る工程；および
該1つまたは複数の第一の広告の表示または配信に関して該ユーザが特定の成果レベルを満たしたと決定された場合に、該ソーシャルネットワーキングサービスを介して該ユーザによってアクセス可能なデータベースから1つまたは複数の第二の広告を受け取る工程
を含む、方法。
180．1つまたは複数の指標が、以下：
第一の広告を表示するソーシャルネットワーキングサービス上のユーザウェブページが受け取る視聴回数、該ユーザウェブページが所与の期間内に受け取る視聴回数、該ユーザウェブページ上に表示される該第一の広告が受け取るクリックスルー事象数、該ユーザウェブページ上に表示される該第一の広告が所与の期間中に受け取るクリックスルー事象数、および該ユーザから受け取られた該第一の広告を視聴するユーザ数
から選択される、179に記載の方法。
181．ユーザカスタマイズされた広告を提供するための方法であって、該方法が、
グラフィカルユーザインタフェースを介して複数の広告をユーザに提供する工程；
メディアの1つまたは複数の形態を介する表示のための該ユーザによって選択された1つまたは複数の広告を識別する工程；
該ユーザによって選択された該1つまたは複数の広告の表示のために、該グラフィカルユーザインタフェースを介して、複数のカスタマイゼーションオプションを該ユーザに提供する工程；
該グラフィカルユーザインタフェースを介して、該カスタマイゼーションオプションについての1つまたは複数のユーザ選択を受け取る工程；および
該カスタマイゼーションオプションについての該1つまたは複数のユーザ選択に従って、表示のために該ユーザによって選択された該1つまたは複数の広告を、該メディアの1つまたは複数の形態を介して、表示する（または表示させる、例えば表示するために命令を提供する）工程
を含み、該工程の1つまたは複数が1つまたは複数のコンピュータプロセッサを使用して実施される、方法。
182．表示する工程が、以下の表示装置：
掲示板（例えば、電子掲示板）、店内ディスプレイ（例えば、店内電子ディスプレイ）、テレビジョン、パーソナルコンピュータ、モバイル機器（例えば、タブレット型コンピュータ、電子書籍リーダー、携帯電話、ウェアラブルコンピューティングデバイス（例えば、スマートウォッチ）など）、劇場スクリーン、車載のエンターテイメントシステムなど
の1つまたは複数を介して、1つまたは複数の広告を表示する工程を含む、181に記載の方法。
【００９８】
結論
本発明の前述の記載は、例示および説明の目的で提示された。網羅的であること、または本発明を開示された正にその形態に限定することは意図されない。上記教示に照らして、他の改変および変形が可能であり得る。本態様は、発明の原理およびその実際的応用を最も良く説明するため、それによって当業者が本発明を企図される特定用途に合うような種々の態様および種々の改変で最も良く利用することを可能にするために、選ばれ、記載された。添付の特許請求の範囲は、同等の構造、コンポーネント、方法および手段を含む、本発明の他の代替態様を含むように解釈されることが意図される。
【００９９】
したがって、本発明は、記載された特定の態様に限定されず、それ自体は変化し得るということが理解されるべきである。また、本明細書において使用された用語は、特定の態様のみを記載するためのものであり、限定的であることが意図されないということが理解されるべきである。
【０１００】
本開示を読めば当業者には明らかであるように、本明細書において記載され例示された個々の態様の各々は、本発明の範囲または精神を逸脱することなく、その他の幾つかの態様のいずれかの特徴から容易に分離されるか、またはそれと容易に組み合され得る、個別のコンポーネントおよび特徴を有する。任意の記載された方法は、記載された事象の順番で、または論理的に可能な任意の他の順番で、実施されることができる。さらに、提示された各システムコンポーネントおよび／または方法工程は、該システムコンポーネントおよび／または方法工程に関して記載された機能を実施する「ための手段」または「ための工程」とみなされるべきである。そのようなものとして、記載された機能を実施する「ための手段」または「ための工程」に向けられる任意の請求項の用語は、記載された機能およびそれに相当するものを実施する本明細書中のシステムコンポーネントおよび／または方法工程を指す。
【０１０１】
概要および要約の項ではなく、詳細な説明の項が、特許請求の範囲を解釈するために使用されることが意図されるということが認識されるべきである。概要および要約の項は、発明者によって企図されたとおりの本発明の、全てではない1つまたは複数の、例示的態様を記載している場合があり、したがって本発明および添付の特許請求の範囲をいかようにも限定することは意図されない。
【図１】
2017516245.tif 000004
【図２】
2017516245.tif 000005
【図３】
2017516245.tif 000006
【図４】
2017516245.tif 000007
【国際調査報告】
2017516245.tif 000008